(57)【特許請求の範囲】
【請求項１】
基地局（ＢＳ）であって、
無線機と、
前記無線機に動作可能に接続されたプロセッサであって、前記ＢＳに、
第１のユーザ機器デバイス（ＵＥ）との通信を確立すること（４３０２）と、
複数のスロットフォーマットインジケータ（ＳＦＩ）インデックスの第1のＳＦＩインデックスを前記ＵＥに送信すること（４３０６）であって、前記複数のＳＦＩインデックスの各ＳＦＩインデックスは１以上の連続するスロットの各それぞれのスロットについての各単一スロットフォーマットインジケータを示し、各単一スロットフォーマットインジケータは対応するスロット内の１４個のシンボルの各それぞれのシンボルについてのそれぞれの送信方向を示し、各ＳＦＩインデックスは、連続するスロットのインデックス固有の数に対応する単一スロットフォーマットインジケータの前記インデックス固有の数を参照する、送信することと、
前記第１のＳＦＩインデックスにしたがって連続するスロットの前記インデックス固有の数の期間に通信を実行すること（４３０８）と、をさせるように構成されたプロセッサと、を含む基地局。
【請求項２】
前記１以上の連続するスロットは複数のスロットを含み、前記第１のＳＦＩインデックスが、ダウンリンク送信領域、ギャップ領域及びアップリンク領域への前記複数のスロットの区画を定義するサイズパラメータを含み、前記領域間の境界が、シンボルの粒度で指定される、請求項１に記載の基地局。
【請求項３】
前記プロセッサは前記ＢＳに、前記ＵＥへテーブルを送信するようにさらに構成され、前記第１のＳＦＩインデックスは前記テーブルのエントリに対応する、請求項１に記載の基地局。
【請求項４】
少なくとも１つの単一スロットフォーマットインジケータはダウンリンクからアップリンクに二度切り替える請求項１に記載の基地局。
【請求項５】
前記プロセッサは前記ＢＳに、ＳＦＩインデックスをｎスロットごとに定期的に送信させるようにさらに構成され、ｎが少なくとも２である、請求項１に記載の基地局。
【請求項６】
前記第１のＳＦＩインデックスが、準静的である、請求項１に記載の基地局。
【請求項７】
前記第１のＳＦＩインデックスが、前記第１のＳＦＩインデックスによって示される前記１つ以上の連続するスロットの前に複数のシンボルを送信される、請求項１に記載の基地局。
【請求項８】
前記第１のＳＦＩインデックスが前記第１のＵＥに固有である、請求項１に記載の基地局。
【請求項９】
ベースバンドプロセッサであって、
ユーザ機器デバイス（ＵＥ）において動作を実行するように構成された処理回路を含み、
前記動作は、
基地局との通信を確立することと、
複数のスロットフォーマットインジケータ（ＳＦＩ）インデックスの第１のＳＦＩインデックスを前記基地局から受信することであって、前記複数のＳＦＩインデックスの各ＳＦＩインデックスは１以上の連続するスロットの各それぞれのスロットについての各単一スロットフォーマットインジケータを示し、各単一スロットフォーマットインジケータは対応するスロット内の１４個のシンボルの各それぞれのシンボルについてのそれぞれの送信方向を示し、各ＳＦＩインデックスは、連続するスロットのインデックス固有の数に対応する単一スロットフォーマットインジケータの前記インデックス固有の数を参照する、受信することと、
前記第１のＳＦＩインデックスにしたがって連続するスロットの前記インデックス固有の数の期間に前記基地局と通信を実行することと、を含む、ベースバンドプロセッサ。
【請求項１０】
前記第１のＳＦＩインデックスが、前記第１のＳＦＩインデックスによって示される前記１つ以上の連続するスロットの前に複数のシンボルを送信される、請求項９に記載のベースバンドプロセッサ。
【請求項１１】
前記１以上の連続するスロットは複数のスロットを含み、前記第１のＳＦＩインデックスが、ダウンリンク送信領域、ギャップ領域及びアップリンク領域への前記複数のスロットの区画を定義するサイズパラメータを含み、前記領域間の境界が、シンボルの粒度で指定される、請求項９に記載のベースバンドプロセッサ。
【請求項１２】
前記動作はテーブルを受信することをさらに含み、前記第１のＳＦＩインデックスは前記テーブルのエントリに対応する、請求項９に記載のベースバンドプロセッサ。
【請求項１３】
少なくとも１つの単一スロットフォーマットインジケータはダウンリンクからアップリンクに二度切り替える請求項９に記載のベースバンドプロセッサ。
【請求項１４】
前記第１のＳＦＩインデックスが、準静的である、請求項９に記載のベースバンドプロセッサ。
【請求項１５】
ユーザ機器デバイス（ＵＥ）であって、
無線機と、
前記無線機に動作可能に結合されたプロセッサであって、前記ＵＥに、
基地局との通信を確立することと、
複数のスロットフォーマットインジケータ（ＳＦＩ）インデックスの第１のＳＦＩインデックスを前記基地局から受信することであって、前記複数のＳＦＩインデックスの各ＳＦＩインデックスは１以上の連続するスロットの各それぞれのスロットについての各単一スロットフォーマットインジケータを示し、各単一スロットフォーマットインジケータは対応するスロット内の１４個のシンボルの各それぞれのシンボルについてのそれぞれの送信方向を示し、各ＳＦＩインデックスは、連続するスロットのインデックス固有の数に対応する単一スロットフォーマットインジケータの前記インデックス固有の数を参照する、受信することと、
前記第１のＳＦＩインデックスにしたがって連続するスロットの前記インデックス固有の数の期間に基地局との通信を実行することと、をさせるように構成されたプロセッサと、を含むＵＥ。
【請求項１６】
前記１以上の連続するスロットは複数のスロットを含み、前記第１のＳＦＩインデックスが、ダウンリンク送信領域、ギャップ領域及びアップリンク領域への前記複数のスロットの区画を定義するサイズパラメータを含み、前記領域間の境界が、シンボルの粒度で指定される、請求項１５に記載のＵＥ。
【請求項１７】
前記プロセッサは前記ＵＥにテーブルを受信するようにさらに構成され、前記第１のＳＦＩインデックスは前記テーブルのエントリに対応する、請求項１５に記載のＵＥ。
【請求項１８】
少なくとも１つの単一スロットフォーマットインジケータは
ダウンリンクからアップリンクに二度切り替える請求項１５に記載のＵＥ。
【請求項１９】
前記第１のＳＦＩインデックスは準静的である、請求項１５に記載のＵＥ。
【請求項２０】
前記第１のＳＦＩインデックスが、前記第１のＳＦＩインデックスによって示される前記１つ以上の連続するスロットの前に複数のシンボルを送信される、請求項１５に記載のＵＥ。
【発明の詳細な説明】
【技術分野】
【０００１】
本出願は、無線通信に関し、より詳細には、無線フレーム内のスロットの送信フォーマットをフレキシブルにシグナリングするための機構に関する。
【背景技術】
【０００２】
無線フレーム内のスロット又はスロット群の時分割複信（ＴＤＤ）構造をＵＥにシグナリングする（特に、フレキシブルに且つ動的にシグナリングする）機構のニーズが存在している。
米国特許第２０１５／３５８９９８  Ａ１号は、動的ＴＤＤ再設定指示を、ＤＣＩ又はＤＣＩに関して計算されたＣＲＣに符号化することによって、移動局にＴＤＤ再設定を動的に示す方法に関する。一実施形態において、ＴＤＤ設定指示は、ＤＣＩのＣＲＣをＴＤＤ−ＲＮＴＩでスクランブルするときに、ＲＮＴＩとしてＣＲＣに暗黙的に符号化される。別の実施形態において、ＴＤＤ設定指示は、ＤＣＩペイロードの一部であり、ＤＣＩのＣＲＣは、ダイナミックＴＤＤ再設定が適用される標的セルを識別するセル識別子によってスクランブルされる。更に別の実施形態において、ＴＤＤ設定指示は、ＤＣＩペイロードの一部であり、ＤＣＩペイロードは、ＤＣＩがＴＤＤ設定指示を搬送することを移動局に示す無効パラメータを更に含む。 
２０１７年２月１２日付の文書「Ｇｒｏｕｐ  Ｃｏｍｍｏｎ  ＰＤＣＣＨ」、３  ＧＰＰドラフトＲ１−１７０２２１９は、グループ共通のＰＤＣＣＨに対するスロットフォーマット関連情報の包含に関するものであり、スロットフォーマット情報を示す方法、どの他の情報が必要とされるか、及びチャネルがどのように見えるかについて論じている。本明細書で提案されるように、各スロットの１つのシンボルは、ＰＤＣＣＨ専用であり、スロットの残りのシンボルに対してはフォーマットの指示である。
【発明の概要】
【０００３】
本明細書では、無線通信においてフレキシブルなスロットインジケータを利用するための装置、システム、及び方法の実施形態が提示される。
【０００４】
基地局（ＢＳ）は、第１のユーザ機器デバイス（ＵＥ）との通信を確立することができる。ＢＳ及びＵＥは、それぞれ、互いに及び／又は他のデバイスとの無線通信を実行するための無線通信回路を含むことができる。更に、ＢＳ及びＵＥは、それぞれ、例えば、プログラム命令を実行してそれぞれのデバイスを動作させることができる１つ以上の処理要素を含むことができる。
【０００５】
いくつかの実施形態では、ＢＳは、１つ以上のスロットに含まれる複数のシンボルのそれぞれについての送信方向を判定することができる。ＢＳは、必要に応じて、この複数のシンボルの送信方向を動的な方法で又は準静的な方法で判定してもよい。更に、判定は、ＢＳと通信している単一のＵＥ、複数のＵＥ、及び／又は全てのＵＥに対して実行されてもよい。
【０００６】
判定に基づいて、ＢＳは、スロットフォーマットインジケータ（ＳＦＩ）をＵＥに送信することができる。ＳＦＩは、１つ以上のスロットに含まれる複数のシンボルのそれぞれについての送信方向を示すことができる。ＳＦＩは、例えば「アップリンク」、「ダウンリンク」、及び／又は「未知」として、第１のスロットの１４個のシンボルについての送信方向を指定することができる。いくつかの実施形態では、ＢＳは、複数の送信方向のセットを指定するテーブルをＵＥに送信することができ、送信方向の各セットは、少なくとも１つのスロットの送信方向を指定する。したがって、ＳＦＩは、送信方向のセットのうちの１つを指定するかあるいは示すテーブルのテーブルエントリを参照することができる。テーブルは、以前に（例えば、ＳＦＩを送信する前に）ＢＳによって、異なるＢＳ又は無線ネットワークの他のエンティティによって送信されていてもよく、及び／又は異なる時間にＵＥによって単に記憶されていてもよいことに留意されたい。
【０００７】
いくつかの実施形態では、ＢＳは、複数のスロットのシンボルについての送信方向を判定するように構成されていることができ、ＳＦＩは、一度に複数のスロットのシンボルについての送信方向を示すことができる。例えば、ＳＦＩは、第１のスロット、第２のスロット、又はｎスロットについての送信方向を示すことができる。これらの送信方向は、スロットのそれぞれについて同じであっても異なっていてもよい。例えば、送信方向は、単一のＳＦＩによって示される第１のスロット及び第２のスロットについて同じである場合がある。あるいは、送信方向は、両方が単一のＳＦＩによって示されていたとしても、第１のスロットと第２のスロットとの間で異なる場合がある。いくつかの実施形態では、単一のＳＦＩは、上述したテーブルのエントリを指すことができ、テーブルエントリは、複数のスロットについての複数の単一スロットフォーマット（例えば、テーブルエントリによって指定された各スロットに対応する）を示すことができる。
【０００８】
ＢＳ及びＵＥは、判定された送信方向に従って１つ以上のスロット中に通信を実行することができる。
【０００９】
ＳＦＩの判定及び／又は送信は、定期的な方法で実行されることができることに留意されたい。例えば、ＳＦＩは、ｎスロットごとに定期的に送信されることができ、ここで、ｎは、任意の所望の値（例えば、１、２、３、５、１０など）とすることができる。追加的に又は代替的に、ＳＦＩは、異なるイベント又は状況に基づいて動的に判定又は更新されてもよい。例えば、ＳＦＩは、例えばＢＳによって送信されるなど、新たなＳＦＩによって更新されるまで有効とすることができる。いくつかの実施形態では、ＳＦＩは、ＳＦＩによって示される１つ以上のスロットの前に１つ以上のシンボル（例えば、複数のシンボル）を送信されることができる。例えば、ＳＦＩは、ＳＦＩによって示されるスロットについてＳＦＩによって示される送信方向に対してＵＥが準備できることを保証するために、将来のスロットのために送信されてもよい。
【００１０】
本明細書に記載された技術は、基地局、アクセスポイント、セルラ電話、ポータブルメディアプレーヤ、タブレットコンピュータ、ウェアラブルデバイス、及び様々な他のコンピューティングデバイスを含むがこれらに限られない、複数の異なるタイプのデバイス内に実施され、及び／又はそれらデバイスと共に用いられてもよいことに留意されたい。
【００１１】
この発明の概要は、この書類において説明される主題のいくつかの簡易的な概要を提供することを意図している。したがって、上記説明された特徴は、実施例に過ぎず、いずれかの方式において本明細書で説明される主題の範囲及び趣旨を狭めると解釈されるべきでないことを理解されよう。本明細書で説明される主題の他の特徴、態様、及び利点は、以下の詳細な説明、図面、及び特許請求の範囲から明らかになるであろう。
【図面の簡単な説明】
【００１２】
好適な実施形態の次の詳細な説明を、次の図面と共に考慮すれば、本実施形態のより良い理解を得ることができる。
【００１３】
【図１】いくつかの実施形態による、例示的な（且つ簡略化された）無線通信システムを示す。
【００１４】
【図２】いくつかの実施形態による、例示的な無線ユーザ機器（ＵＥ）デバイスと通信する例示的な基地局を示す。
【００１５】
【図３】いくつかの実施形態による、例示的なＵＥのブロック図を示す。
【００１６】
【図４】いくつかの実施形態による、例示的な基地局のブロック図を示す。
【００１７】
【図５】いくつかの実施形態による、例示的なＴＤＤ構成を示す。
【００１８】
【図６】いくつかの実施形態による、例示的なＵＬ及びＤＬ基準構成を示す。
【００１９】
【図７】いくつかの実施形態による、図６からの例示的な対応するフレーム構造を示す。
【００２０】
【図８】いくつかの実施形態による、例示的なＴＤＤフレーム構造を示す。
【００２１】
【図９】いくつかの実施形態による、様々な例示的なアップリンク中心スロットフォーマットを示す。
【００２２】
【図１０】いくつかの実施形態による、様々な例示的なダウンリンク中心スロットフォーマットを示す。
【００２３】
【図１１】いくつかの実施形態による、例示的なスロット集約を示す。
【００２４】
【図１２】いくつかの実施形態による、スロット集約の例を示す。
【図１３】いくつかの実施形態による、スロット集約の例を示す。
【００２５】
【図１４Ａ】いくつかの実施形態による、ダウンリンクのＳＦＩに対応する。
【図１４Ｂ】いくつかの実施形態による、ダウンリンクのＳＦＩに対応する。
【００２６】
【図１５】いくつかの実施形態による、ブランクスロットのＳＦＩを示す。
【００２７】
【図１６】いくつかの実施形態による、ＳＦＩの２つの例示的な状態を示す。
【００２８】
【図１７】いくつかの実施形態による、スロットの動的構成を示す。
【図１８】いくつかの実施形態による、スロットの動的構成を示す。
【図１９】いくつかの実施形態による、スロットの動的構成を示す。
【００２９】
【図２０】いくつかの実施形態による、ＳＦＩの例示的なフィールドを示す。
【００３０】
【図２１】いくつかの実施形態による、ＵＬスロット集約を示す。
【００３１】
【図２２】いくつかの実施形態による、ＤＬスロット集約を示す。
【００３２】
【図２３】いくつかの実施形態による、ＰＤＳＣＨの例示的な実装を示す。
【図２４】いくつかの実施形態による、ＰＤＳＣＨの例示的な実装を示す。
【図２５】いくつかの実施形態による、ＰＤＳＣＨの例示的な実装を示す。
【図２６】いくつかの実施形態による、ＰＤＳＣＨの例示的な実装を示す。
【図２７】いくつかの実施形態による、ＰＤＳＣＨの例示的な実装を示す。
【図２８】いくつかの実施形態による、ＰＤＳＣＨの例示的な実装を示す。
【００３３】
【図２９】いくつかの実施形態による、基地局及びＵＥを動作させるための例示的な方法である。
【図３０】いくつかの実施形態による、基地局及びＵＥを動作させるための例示的な方法である。
【００３４】
【図３１】いくつかの実施形態による、５スロット期間を有するＳＦＩの例示的な提供を示す。
【００３５】
【図３２Ａ】いくつかの実施形態による、１４個のシンボル、スロットの非反復可能性を示す。
【図３２Ｂ】いくつかの実施形態による、１４個のシンボル、スロットの非反復可能性を示す。
【図３２Ｃ】いくつかの実施形態による、１４個のシンボル、スロットの非反復可能性を示す。
【図３２Ｄ】いくつかの実施形態による、１４個のシンボル、スロットの非反復可能性を示す。
【図３２Ｅ】いくつかの実施形態による、１４個のシンボル、スロットの非反復可能性を示す。
【図３２Ｆ】いくつかの実施形態による、１４個のシンボル、スロットの非反復可能性を示す。
【図３２Ｇ】いくつかの実施形態による、１４個のシンボル、スロットの非反復可能性を示す。
【図３２Ｈ】いくつかの実施形態による、１４個のシンボル、スロットの非反復可能性を示す。
【図３２Ｉ】いくつかの実施形態による、１４個のシンボル、スロットの非反復可能性を示す。
【図３２Ｊ】いくつかの実施形態による、１４個のシンボル、スロットの非反復可能性を示す。
【図３２Ｋ】いくつかの実施形態による、１４個のシンボル、スロットの非反復可能性を示す。
【図３２Ｌ】いくつかの実施形態による、１４個のシンボル、スロットの非反復可能性を示す。
【図３２Ｍ】いくつかの実施形態による、１４個のシンボル、スロットの非反復可能性を示す。
【図３２Ｎ】いくつかの実施形態による、１４個のシンボル、スロットの非反復可能性を示す。
【００３６】
【図３３Ａ】いくつかの実施形態による、７個のシンボル、スロットの反復組み合わせ可能性を示す。
【図３３Ｂ】いくつかの実施形態による、７個のシンボル、スロットの反復組み合わせ可能性を示す。
【図３３Ｃ】いくつかの実施形態による、７個のシンボル、スロットの反復組み合わせ可能性を示す。
【図３３Ｄ】いくつかの実施形態による、７個のシンボル、スロットの反復組み合わせ可能性を示す。
【図３３Ｅ】いくつかの実施形態による、７個のシンボル、スロットの反復組み合わせ可能性を示す。
【００３７】
【図３４Ａ】いくつかの実施形態による、７個のシンボル、スロットの非反復組み合わせ可能性を示す。
【図３４Ｂ】いくつかの実施形態による、７個のシンボル、スロットの非反復組み合わせ可能性を示す。
【図３４Ｃ】いくつかの実施形態による、７個のシンボル、スロットの非反復組み合わせ可能性を示す。
【図３４Ｄ】いくつかの実施形態による、７個のシンボル、スロットの非反復組み合わせ可能性を示す。
【図３４Ｅ】いくつかの実施形態による、７個のシンボル、スロットの非反復組み合わせ可能性を示す。
【図３４Ｆ】いくつかの実施形態による、７個のシンボル、スロットの非反復組み合わせ可能性を示す。
【図３４Ｇ】いくつかの実施形態による、７個のシンボル、スロットの非反復組み合わせ可能性を示す。
【図３４Ｈ】いくつかの実施形態による、７個のシンボル、スロットの非反復組み合わせ可能性を示す。
【図３４Ｉ】いくつかの実施形態による、７個のシンボル、スロットの非反復組み合わせ可能性を示す。
【図３４Ｊ】いくつかの実施形態による、７個のシンボル、スロットの非反復組み合わせ可能性を示す。
【図３４Ｋ】いくつかの実施形態による、７個のシンボル、スロットの非反復組み合わせ可能性を示す。
【図３４Ｌ】いくつかの実施形態による、７個のシンボル、スロットの非反復組み合わせ可能性を示す。
【図３４Ｍ】いくつかの実施形態による、７個のシンボル、スロットの非反復組み合わせ可能性を示す。
【図３４Ｎ】いくつかの実施形態による、７個のシンボル、スロットの非反復組み合わせ可能性を示す。
【図３４Ｏ】いくつかの実施形態による、７個のシンボル、スロットの非反復組み合わせ可能性を示す。
【図３４Ｐ】いくつかの実施形態による、７個のシンボル、スロットの非反復組み合わせ可能性を示す。
【図３４Ｑ】いくつかの実施形態による、７個のシンボル、スロットの非反復組み合わせ可能性を示す。
【図３４Ｒ】いくつかの実施形態による、７個のシンボル、スロットの非反復組み合わせ可能性を示す。
【図３４Ｓ】いくつかの実施形態による、７個のシンボル、スロットの非反復組み合わせ可能性を示す。
【図３４Ｔ】いくつかの実施形態による、７個のシンボル、スロットの非反復組み合わせ可能性を示す。
【図３４Ｕ】いくつかの実施形態による、７個のシンボル、スロットの非反復組み合わせ可能性を示す。
【００３８】
【図３５Ａ】いくつかの実施形態による、７個のシンボルの可能性を示す。
【図３５Ｂ】いくつかの実施形態による、７個のシンボルの可能性を示す。
【図３５Ｃ】いくつかの実施形態による、７個のシンボルの可能性を示す。
【図３５Ｄ】いくつかの実施形態による、７個のシンボルの可能性を示す。
【図３５Ｅ】いくつかの実施形態による、７個のシンボルの可能性を示す。
【図３５Ｆ】いくつかの実施形態による、７個のシンボルの可能性を示す。
【図３５Ｇ】いくつかの実施形態による、７個のシンボルの可能性を示す。
【００３９】
【図３６】いくつかの実施形態による、図３２Ａ−図３５Ｇに対応する例示的なＳＦＩインデックス及びフォーマットを示す。
【図３７】いくつかの実施形態による、図３２Ａ−図３５Ｇに対応する例示的なＳＦＩインデックス及びフォーマットを示す。
【図３８】いくつかの実施形態による、図３２Ａ−図３５Ｇに対応する例示的なＳＦＩインデックス及びフォーマットを示す。
【００４０】
【図３９】いくつかの実施形態による、例示的なＵＥ  ＳＦＩインデックステーブルを示す。
【図４０】いくつかの実施形態による、例示的なＵＥ  ＳＦＩインデックステーブルを示す。
【図４１】いくつかの実施形態による、例示的なＵＥ  ＳＦＩインデックステーブルを示す。
【００４１】
【図４２】いくつかの実施形態による、１スロットオフセットを伴う５スロット期間を有するＳＦＩの例示的な提供を示す。
【００４２】
【図４３】いくつかの実施形態による、ＢＳとＵＥとの間でＳＦＩを使用する例示的な方法を示すフローチャート図である。  本明細書中に記載される実施形態は種々の変更及び代替形態を受けるが、その特定の実施形態が例として図面に示され、本明細書において詳細に説明される。しかし、図面及びそれらに対する詳細な説明は、本実施形態を、開示されている特定の形態に限定することを意図されているのではなく、逆にその意図は、添付の請求項によって定義されている通りの本実施形態の趣旨及び範囲内に入る全ての変更、均等物及び代替物を範囲に含むことを理解されたい。
【発明を実施するための形態】
【００４３】
略称
【００４４】
ＡＲＱ：自動繰り返し要求
【００４５】
ＤＣＩ：ダウンリンク制御情報
【００４６】
ＤＬ：ダウンリンク
【００４７】
ｇＮＢ：ｇノードＢ
【００４８】
ＬＴＥ：ロングタームエボリューション
【００４９】
ＮＷ：ネットワーク
【００５０】
ＮＲ：新無線機
【００５１】
ＰＣＦＩＣＨ：物理制御フォーマットインジケータチャネル
【００５２】
ＰＤＣＣＨ：物理ダウンリンク制御チャネル
【００５３】
ＰＤＳＣＨ：物理ダウンリンク共用チャネル
【００５４】
ＰＨＩＣＨ：物理ハイブリッドＡＲＱインジケータチャネル
【００５５】
ＰＵＣＣＨ：物理アップリンク制御チャネル
【００５６】
ＰＵＳＣＨ：物理アップリンク共用チャネル
【００５７】
ＲＮＴＩ：無線ネットワーク一時識別子
【００５８】
ＲＲＣ：無線リソース制御
【００５９】
ＳＩＢ：システム情報ブロック
【００６０】
ＳＩＢｎ：システム情報ブロックタイプｎ
【００６１】
ＳＬ：サイドリンク
【００６２】
ＴＤＤ：時分割複信
【００６３】
ＴＴＩ：送信時間間隔
【００６４】
ＵＥ：ユーザ機器
【００６５】
ＵＬ：アップリンク
専門用語
【００６６】
以下は、本開示で使用される用語の用語集である。
【００６７】
記憶媒体−様々な種類の非一時的メモリデバイス又は記憶デバイスのうちの任意のもの。用語「記憶媒体」は、インストール媒体、例えば、ＣＤ−ＲＯＭ、フロッピーディスク又はテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又はその他の同様の種類のメモリ要素などを含むことが意図されている。記憶媒体は、他の種類の非一時的メモリ、並びにそれらの組み合せも含んでもよい。加えて、記憶媒体は、プログラムが実行される第１のコンピュータシステム内に位置してもよく、又はインターネットなどのネットワークを通じて第１のコンピュータシステムに接続する、第２の異なるコンピュータシステム内に位置してもよい。後者の例では、第２のコンピュータシステムは、実行のために、プログラム命令を第１のコンピュータシステムに提供することができる。用語「記憶媒体」は、異なる位置、例えば、ネットワークを通じて接続された異なるコンピュータシステム内に存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００６８】
搬送媒体−上述のような記憶媒体、並びにバス、ネットワークなどの物理的伝送媒体、及び／又は電気信号、電磁信号、若しくはデジタル信号などの信号を伝送する他の物理的伝送媒体。
【００６９】
プログラム可能ハードウェア要素−プログラム可能相互接続を介して接続された複数のプログラム可能機能ブロックを備える、様々なハードウェアデバイスを含む。例としては、ＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）、ＰＬＤ（Ｐｒｏｇｒａｍｍａｂｌｅ  Ｌｏｇｉｃ  Ｄｅｖｉｃｅ、プログラム可能論理デバイス）、ＦＰＯＡ（Ｆｉｅｌｄ  Ｐｒｏｇｒａｍｍａｂｌｅ  Ｏｂｊｅｃｔ  Ａｒｒａｙ、フィールドプログラマブルオブジェクトアレイ）、及びＣＰＬＤ（Ｃｏｍｐｌｅｘ  ＰＬＤ、複合ＰＬＤ）を含む。プログラム可能な機能ブロックは、細かい粒度のもの（組み合せロジック又はルックアップテーブル）から粗い粒度のもの（演算論理装置又はプロセッサコア）にまで及ぶことができる。プログラム可能なハードウェア要素はまた、「再構成可能な論理」と称されることがある。
【００７０】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス若しくはデバイスの組み合せ、を含む様々な種類のコンピューティング又は処理システムのうちの任意のもの。一般的に、用語「コンピュータシステム」は、記憶媒体からの命令を実行する少なくとも１つのプロセッサを有する任意のデバイス（又はデバイスの組み合せ）を包含するように広義に定義することができる。
【００７１】
ユーザ機器（ＵＥ）（又は、「ＵＥデバイス」）−移動式又は携帯式であり、無線通信を実行する、様々なタイプのコンピュータシステムデバイスのうちの任意のもの。ＵＥデバイスの例としては、携帯電話若しくはスマートフォン（例えば、ｉＰｈｏｎｅ（商標）、Ａｎｄｒｏｉｄ（商標）ベースの電話）、ポータブルゲーミングデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップコンピュータ、ウェアラブルデバイス（例えば、スマートウォッチ、スマートグラス）、ＰＤＡ、ポータブルインターネットデバイス、音楽プレーヤ、データ記憶デバイス、又は他のハンドヘルド装置などが挙げられる。一般に、用語「ＵＥ」又は「ＵＥデバイス」は、ユーザによって容易に持ち運ばれ、無線通信が可能なあらゆる電子、コンピューティング及び／又は電気通信デバイス（又はデバイスの組み合せ）を包含するように広義に定義することができる。
【００７２】
基地局−用語「基地局」は、その通常の意味の全範囲を有し、少なくとも、固定場所に設置され、無線電話システム又は無線システムの一部として通信するために使用される無線通信局を含む。
【００７３】
処理要素−様々な要素又は要素の組み合わせを指す。処理要素は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）などの回路、個別のプロセッサコアの一部分若しくは回路、プロセッサコア全体、個別プロセッサ、フィールドプログラマブルゲートアレイ（field programmable gate array、ＦＰＧＡ）などのプログラム可能なハードウェアデバイス、及び／又は複数のプロセッサを含むシステムのより大きい部分を含む。
【００７４】
チャネル−送信側（送信機）から受信機に情報を伝達するために使用される媒体。用語「チャネル」の特性は、異なる無線プロトコルによって異なる場合があるため、用語「チャネル」は、本明細書で使用されるとき、その用語が関連して使用されるデバイスの種類の規格に合致する方式で使用されていると、見なすことができる点に留意されたい。いくつかの規格では、チャネル幅は、（例えば、デバイス性能、帯域条件等に応じて）可変とすることができる。例えば、ＬＴＥは、１．４ＭＨｚ〜２０ＭＨｚのスケーラブルなチャネル帯域幅をサポートすることができる。対照的に、Ｂｌｕｅｔｏｏｔｈのチャネル幅が１ＭＨｚであり得るのに対して、ＷＬＡＮのチャネル幅は２２ＭＨｚであり得る。他のプロトコル及び規格は、異なるチャネルの定義を含み得る。更に、いくつかの規格は、複数の種類のチャネル、例えば、アップリンク若しくはダウンリンクのための異なるチャネル、及び／又は、データ、制御情報などの異なる用途のための異なるチャネルを定義し、使用することができる。
【００７５】
帯域−「帯域」という用語は、その通常の意味の全範囲を有しており、少なくとも、チャネルが使用される又は同じ目的のために確保しておくスペクトルの部分（例えば、無線周波数スペクトル）が含まれる。
【００７６】
自動的に−ユーザ入力が、アクション又は動作を直接指定若しくは実行することなく、コンピュータシステム（例えば、コンピュータシステムによって実行されるソフトウェア）又はデバイス（例えば、回路機構、プログラム可能なハードウェア要素、ＡＳＩＣなど）によって、それらのアクション又は動作が実行されることを指す。したがって、用語「自動的に」は、ユーザが入力を提供して操作を直接実行するような、ユーザによって手動で実行され又は指定される操作とは対照的である。自動手順は、ユーザが提供する入力によって開始されてもよいが、「自動的に」実行される後続のアクションはユーザによって指定されるものではなく、すなわち、実行するべき各アクションをユーザが指定する「手動で」は実行されない。例えば、ユーザが、各フィールドを選択し、情報を明示する入力を提供することによって（例えば、情報のタイピング、チェックボックスの選択、ラジオボタンの選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定する何らのユーザ入力なしに、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００７７】
図１及び図２−通信システム
図１は、一実施形態に係る、例示的な（且つ簡略化された）無線通信システムを示す。図１のシステムは、可能なシステムの単なる一例であり、実施形態は、要望に応じて、各種システム内のいずれかにおいて実施されてもよいことに留意されたい。
【００７８】
図示のように、例示的な無線通信システムは、１つ以上のユーザデバイス１０６Ａ、１０６Ｂ等から１０６Ｎまでと、伝送媒体を介して通信する基地局１０２Ａを含む。本明細書では、ユーザデバイスの各々を「ユーザ機器」（ＵＥ）と呼ぶことがある。よって、ユーザデバイス１０６は、ＵＥ又はＵＥデバイスと称される。
【００７９】
基地局１０２Ａは、無線基地局装置（base transceiver station、ＢＴＳ）又はセルサイトであってもよく、ＵＥ１０６Ａ〜１０６Ｎとの無線通信を可能にするハードウェアを含み得る。基地局１０２Ａはまた、ネットワーク１００（例えば、種々の可能性の中で、セルラサービスプロバイダのコアネットワーク、公衆交換電話網（ＰＳＴＮ）などの電気通信ネットワーク、及び／又はインターネット）と通信する機能を備えることもできる。したがって、基地局１０２Ａは、ユーザデバイス間の通信、及び／又は、ユーザデバイスとネットワーク１００との間の通信を円滑化することができる。
【００８０】
基地局の通信エリア（又は、カバレッジエリア）を「セル」と称してもよい。基地局１０２Ａ及びＵＥ１０６は、無線通信技術又は電気通信規格とも呼ばれる、ＧＳＭ、ＵＭＴＳ（ＷＣＤＭＡ、ＴＤ−ＳＣＤＭＡ）、ＬＴＥ、ＬＴＥアドバンスト（ＬＴＥ−Ａ）、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸ、新無線（ＮＲ）などの、種々の無線アクセス技術（ＲＡＴ）のいずれかを使用して、伝送媒体を介して通信するように構成することができる。
【００８１】
よって、同一又は異なるセルラ通信標準に従って動作する基地局１０２Ａ及び他の同様の基地局（基地局１０２Ｂ．．．１０２Ｎなど）は、セルのネットワークとして設けられてもよく、セルのネットワークは、１つ以上のセルラ通信標準を介して、広範囲の地理的エリアにわたって、ＵＥ１０６Ａ〜Ｎ及び同様のデバイスに、連続した又はほぼ連続した重複したサービスを提供することができる。
【００８２】
図１に示すように、基地局１０２Ａは、ＵＥ１０６Ａ〜１０６Ｎに対して、「サービングセル」を提供することができる一方、各ＵＥ１０６は、「隣接セル」と呼ぶことができる１つ以上の他のセル（基地局１０２Ｂ〜１０２Ｎ及び／又は任意の他の基地局によって提供され得る）から信号を受信することもまたできる（場合によってはその通信範囲内にある）。このようなセルはまた、ユーザデバイス間、及び／又はユーザデバイスとネットワーク１００との間の通信を円滑化することができる。このようなセルとしては、「マクロ」セル、「マイクロ」セル、「ピコ」セル、及び／又は様々な他の任意の粒度のサービスエリアサイズを提供するセルを挙げることができる。例えば、図１に例示する基地局１０２Ａと１０２Ｂはマクロセルであってもよく、その一方で、基地局１０２Ｎは、マイクロセルであってもよい。他の構成も可能である。
【００８３】
ＵＥ１０６は、複数の無線通信標準を使用して通信する能力を有することができることに留意されたい。例えば、ＵＥ１０６は、少なくとも１つのセルラ通信プロトコル（例えば、ＧＳＭ、ＵＭＴＳ（ＷＣＤＭＡ、ＴＤ−ＳＣＤＭＡ）、ＬＴＥ、ＬＴＥ−Ａ、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）など）、ＮＲに加えて、無線ネットワークプロトコル（例えば、Ｗｉ−Ｆｉ）及び／又はピアツーピア無線通信プロトコル（例えば、ＢＴ、Ｗｉ−Ｆｉピアツーピアなど）を使用して通信するように構成されてもよい。ＵＥ１０６はまた、あるいは代替的に、１つ以上のグローバルナビゲーション衛星システム（ＧＮＳＳ、例えばＧＰＳ又はＧＬＯＮＡＳＳ）、１つ以上のモバイルテレビ放送規格（例えば、ＡＴＳＣ−Ｍ／Ｈ又はＤＶＢ−Ｈ）、及び／又は、所望であれば、任意の他の無線通信プロトコル、を使用して通信するように構成され得る。無線通信規格（２つより多くの無線通信規格を含む）の他の組み合せもまた可能である。
【００８４】
図２は、一実施形態に係る、基地局１０２（例えば、基地局１０２Ａ〜１０２Ｎのうちの１つ）と通信するユーザ機器１０６（例えば、デバイス１０６Ａ〜１０６Ｎのうちの１つ）を例示する。ＵＥ１０６は、携帯電話、ハンドヘルドデバイス、ウェアラブルデバイス、コンピュータ若しくはタブレット、などのセルラ通信機能を有するデバイス、又は実質上あらゆる種類の無線デバイス、であってもよい。
【００８５】
ＵＥ１０６は、メモリに記憶されたプログラム命令を実行するように構成されたプロセッサを含んでもよい。ＵＥ１０６は、そのような記憶された命令を実行することによって、本明細書で説明される方法の実施形態のいずれかを実行してもよい。代わりに、又は加えて、ＵＥ１０６は、本明細書で説明される方法の実施形態のいずれか、又は本明細書で説明される方法の実施形態のいずれかの任意の部分を実行するように構成された、ＦＰＧＡ（フィールドプログラマブルゲートアレイ）などのプログラム可能なハードウェア要素を含んでもよい。
【００８６】
ＵＥ１０６には、１つ以上の無線通信プロトコル又は技術を使用して通信するための１つ以上のアンテナを含み得る。一実施形態では、ＵＥ１０６は、単一の共有無線機を使用して、ＣＤＭＡ２０００（１ｘＲＴＴ／１ｘＥＶ−ＤＯ／ＨＲＰＤ／ｅＨＲＰＤ）又はＬＴＥのいずれかを用いて、及び／又は、単一の共有無線機を使用して、ＧＳＭ若しくはＬＴＥのいずれかを用いて、通信するように構成することができる。共有無線機は、無線通信を実行するための、単一のアンテナに連結することができるか、又は複数のアンテナ（例えば、ＭＩＭＯの場合）に連結することができる。概して、無線機は、ベースバンドプロセッサ、アナログＲＦ信号処理回路（例えば、フィルタ、ミキサ、発振器、増幅器などを含む）、又はデジタル処理回路（例えば、デジタル変調と共に他のデジタル処理のための）の任意の組み合わせを含んでもよい。同様に、無線機は、上述したハードウェアを使用して１つ以上の受信チェーン及び送信チェーンを実装してもよい。例えば、ＵＥ１０６は、上述した技術などの複数の無線通信技術間で、受信及び／又は送信チェーンの１つ以上の部品を共有し得る。
【００８７】
いくつかの実施形態では、ＵＥ１０６は、それを用いてＵＥ１０６が通信するように構成された、各無線通信プロトコルのために別個の（おそらく複数の）送信及び／又は受信チェーン（例えば、別々のＲＦ及び／又はデジタル無線機の構成要素を含む）を含んでもよい。別の可能性として、ＵＥ１０６は、複数の無線通信プロトコルの間で共有される１つ以上の無線機、及び単一の無線通信プロトコルによって独占的に使用される１つ以上の無線機を含み得る。例えば、ＵＥ１０６はＬＴＥ、１ｘＲＴＴ、及びＮＲ（あるいは、ＬＴＥ又はＧＳＭ）のいずれかを使用して通信するための共用無線機と、Ｗｉ−Ｆｉ及びＢｌｕｅｔｏｏｔｈのそれぞれを使用して通信するための別個の無線機とを含み得る。他の構成も可能である。
【００８８】
図３−ＵＥの例示的なブロック図
図３は、一実施形態に係る、ＵＥ１０６の例示的なブロック図を示す。図示するように、ＵＥ１０６は、様々な目的用の部分を含んでもよい、システムオンチップ（ＳＯＣ）３００を含んでもよい。例えば、図示するように、ＳＯＣ３００は、ＵＥ１０６用のプログラム命令を実行し得るプロセッサ（単数又は複数）３０２、及び、グラフィック処理を実行し表示信号をディスプレイ３６０へ供給し得る表示回路３０４を含んでもよい。プロセッサ（単数又は複数）３０２は、メモリ管理ユニット（memory management unit）（ＭＭＵ）３４０に連結してもよく、ＭＭＵ３４０は、プロセッサ（単数又は複数）３０２からアドレスを受信し、それらのアドレスを、メモリ（例えば、メモリ３０６、読み出し専用メモリ（read only memory）（ＲＯＭ）３５０、ＮＡＮＤフラッシュメモリ３１０）内の位置に変換し、並びに／又は表示回路３０４、無線通信回路３３０、コネクタＩ／Ｆ３２０、及び／若しくはディスプレイ３６０などの、その他の回路若しくはデバイスに変換するように構成されてもよい。ＭＭＵ３４０は、メモリ保護及びページテーブル変換又はセットアップを実行するように構成されてもよい。いくつかの実施形態では、ＭＭＵ３４０は、プロセッサ（単数又は複数）３０２の一部として含まれてもよい。
【００８９】
図示するように、ＳＯＣ３００は、ＵＥ１０６の様々な他の回路に結合されてもよい。例えば、ＵＥ１０６は、様々な種類のメモリ（例えば、ＮＡＮＤフラッシュ３１０を含む）、コネクタインターフェース３２０（例えば、コンピュータシステム、ドック、充電ステーションなどに連結するための）、ディスプレイ３６０、及び無線通信回路（例えば、無線機）３３０（例えば、ＬＴＥ、Ｗｉ−Ｆｉ、ＧＰＳ、等に関する）を含むことができる。
【００９０】
ＵＥデバイス１０６は、基地局及び／又は他のデバイスとの間で無線通信を行うための少なくとも１つのアンテナ（そして、おそらくは、種々の可能性のうち、例えば、ＭＩＭＯ用の、及び／又は異なる無線通信技術を実現するための、複数のアンテナ）を含み得る。例えば、ＵＥデバイス１０６は、アンテナ（単数又は複数）３３５を用いて、無線通信を実行することができる。上述したように、ＵＥ１０６は、いくつかの実施形態では、複数の無線通信規格を使用して、無線通信を行うように構成することができる。
【００９１】
本明細書で更にこの後に説明するように、ＵＥ１０６は、本明細書で様々に説明するスロットフォーマットインジケータの使用に関する機能を実装するためのハードウェア及びソフトウェアの構成要素を含むことができる。ＵＥデバイス１０６のプロセッサ３０２は、例えば、記憶媒体（例えば、非一時的コンピュータ可読記憶媒体）に記憶されたプログラム命令を実行することによって、本明細書に記載される方法の一部又は全てを実装するように構成することができる。他の実施形態では、プロセッサ３０２は、ＦＰＧＡ（フィールドプログラマブルゲートアレイ）などのプログラム可能ハードウェア要素として、又はＡＳＩＣ（特定用途向け集積回路）として構成されてもよい。あるいは（又は追加して）、ＵＥデバイス１０６のプロセッサ３０２は、他の構成要素３００、３０４、３０６、３１０、３２０、３３０、３３５、３４０、３５０、３６０のうちの１つ以上と連携して、本明細書で説明する機能の一部又は全てを実施するように、構成することができる。
図４−基地局の例示的なブロック図
【００９２】
図４は、一実施形態に係る、基地局１０２の例示的なブロック図を示す。図４の基地局は、可能な基地局の１つの実施例にすぎないことに留意されたい。図示するように、基地局１０２は、基地局１０２に対してプログラム命令を実行することができるプロセッサ（単数又は複数）４０４を含んでもよい。プロセッサ（単数又は複数）４０４はまた、プロセッサ（単数又は複数）４０４からアドレスを受信し、それらのアドレスをメモリ（例えば、メモリ４６０及び読み出し専用メモリ（ＲＯＭ）４５０）又は他の回路若しくはデバイス内の場所に変換するように構成されてもよいメモリ管理ユニット（ＭＭＵ）４４０に結合されてもよい。
【００９３】
基地局１０２は、少なくとも１つのネットワークポート４７０を含んでもよい。ネットワークポート４７０は、電話ネットワークに結合し、図１及び図２において上記説明したようなＵＥデバイス１０６などの複数のデバイスに、電話ネットワークへのアクセスを提供するように構成されていてもよい。
【００９４】
ネットワークポート４７０（又は追加のネットワークポート）は、更に又は代替的に、セルラネットワーク、例えばセルラサービスプロバイダのコアネットワークに接続するように構成されていてもよい。コアネットワークは、ＵＥデバイス１０６などの複数のデバイスに、モビリティ関連サービス及び／又は他のサービスを提供することができる。一部の場合には、ネットワークポート４７０は、コアネットワークを介して電話網に連結することができ、且つ／又はコアネットワークは、（例えば、セルラサービスプロバイダによってサービス提供される他のＵＥデバイスとの間で）電話網を提供することができる。
【００９５】
基地局１０２は、少なくとも１つのアンテナ４３４、場合によっては、複数のアンテナを含んでもよい。アンテナ（単数又は複数）４３４は、無線送受信機として動作するように構成されていてもよく、無線機４３０によって、ＵＥデバイス１０６と通信するように更に構成されていてもよい。アンテナ４３４は、無線機４３０と通信チェーン４３２を介して通信する。通信チェーン４３２は、受信チェーン、送信チェーン、又はその両方であってもよい。無線機４３０は、ＮＲ、ＬＴＥ、ＬＴＥ−Ａ、ＵＭＴＳ、ＣＤＭＡ２０００、Ｗｉ−Ｆｉなどを含むがこれらには限定されない種々の無線電気通信規格によって、通信するように構成することができる。
【００９６】
ＢＳ１０２は、複数の無線通信規格を使用して無線通信するように構成され得る。いくつかの例では、基地局１０２は、複数の無線機を備えることができ、これによって、基地局１０２は、複数の無線通信技術に従って通信することができる。例えば、ひとつの可能性として、基地局１０２は、ＮＲに従って通信を実行するためのＮＲ無線機、並びに、Ｗｉ−Ｆｉに従って通信するためのＷｉ−Ｆｉ無線機を備えてもよい。このような場合、基地局１０２は、ＮＲ基地局及びＷｉ−Ｆｉアクセスポイントの両方として動作することができる。別の可能性として、基地局１０２は、マルチモード無線機を備えることができ、マルチモード無線機は、複数の無線通信技術（例えば、ＮＲ及びＷｉ−Ｆｉ；ＮＲ及びＬＴＥ；ＬＴＥ及びＣＤＭＡ２０００；ＵＭＴＳ及びＧＳＭ；）のうちのいずれかに従って、通信を実行することができる。
【００９７】
本明細書で更にこの後に説明するように、ＢＳ１０２は、本明細書で様々に説明するスロットフォーマットインジケータの使用に関する機能を実装するためのハードウェア及びソフトウェアの構成要素を含むことができる。
【００９８】
基地局１０２のプロセッサ４０４は、例えば、記憶媒体（例えば、非一時的コンピュータ可読記憶媒体）に記憶されたプログラム命令を実行することによって、本明細書で説明される方法の一部又は全てを実装するように構成されてもよい。代わりに、プロセッサ４０４は、ＦＰＧＡ（フィールドプログラマブルゲートアレイ）などのプログラム可能なハードウェア要素として、若しくはＡＳＩＣ（特定用途向け集積回路）として、又はそれらの組み合わせとして構成されていてもよい。代替的に（又は追加的に）、ＢＳ１０２のプロセッサ４０４は、他の構成要素４３０、４３２、４３４、４４０、４５０、４６０、４７０のうちの任意の１つ以上と連携して、本明細書で説明する機能の一部又は全てを実装するように、構成することができる。
グループ共通ＰＤＣＣＨ
【００９９】
ユーザ機器（ＵＥ）のグループ向けの情報を搬送するチャネルである。限定詞「共通」は、必ずしもセルごとに共通を意味するわけではない。
【０１００】
グループ共通ＰＤＣＣＨの可能性のある使用例は以下を含む：
（１）動的ＴＤＤでスロットフォーマットを示す（ＵＬ、ＤＬ、ＳＬ、ブランクなど）；
（２）ＵＥがいくつかのブラインドデコーディングをスキップすることができるかどうかを判定することができる制御リソースセット持続時間を示す；
（３）ダウンリンクデータの開始位置を示す。
【０１０１】
グループ共通ＰＤＣＣＨの物理チャネル構造は、ＰＣＦＩＣＨのようなアプローチを使用して実現することができる。あるいは、ＰＤＣＣＨ設計が再使用されてもよい。
【０１０２】
ネットワーク（ＮＷ）は、ＲＲＣシグナリングを使用してグループ共通ＰＤＣＣＨを監視するようにＵＥを構成することができる。換言すれば、ネットワークは、ＵＥがグループ共通ＰＤＣＣＨをデコードするかどうかを示すために、ＲＲＣ信号をＵＥに送信することができる。
【０１０３】
ＬＴＥのＴＤＤ構成
ＬＴＥリリース８では、ＴＤＤ構成は、無線フレームの各スロットにおける送信の方向を示すように定義される。（無線フレームは、１０ｍｓの持続時間である。）図５に示すように、７つの異なるＴＤＤ構成が定義された。（シンボルＤは、ダウンリンクを示す；Ｓは切り替え用の特別なサブフレームを示す；Ｕはアップリンクを示す。）
【０１０４】
ＬＴＥリリース１２のｅＩＭＴＡ
ｅＩＭＴＡは、「Ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ」の頭字語である。ｅＩＭＴＡでは、ダウンリンク制御情報（ＤＣＩ）を介して構成を動的に変更することができる。
【０１０５】
ｅＩＭＴＡでは、ＴＤＤ構成は、以下のように判定される。ＴＤＤフレーム構造は、ＵＬ参照構成及びＤＬ参照構成を組み合わせて生成される。ＵＬ参照構成及びＤＬ参照構成の例が図６に示される。図７は、図６の例から得られる効果的なＴＤＤフレーム構造を示している。Ｆは、ダウンリンク（Ｄ）又はアップリンク（Ｕ）のいずれかであるＴＴＩを示す。ｅＩＭＴＡでは、Ｆで指定されたスロットのみが動的に変化することができる。図７のフレーム構造でサポートされている現在の構成は、０，１，２，３，４，５である。
【０１０６】
アップリンク参照構成は、準静的に構成されており、ＳＩＢ１からＵＥによって取得される。アップリンク参照構成は、非ｅＩＭＴＡ対応デバイスによって使用され、以前のリリース（〜Ｒ１１）では「アップリンク−ダウンリンク構成」として知られている。アップリンク参照構成は、アップリンクヘビー構成である。アップリンク参照構成のＤＬサブフレームは、例えばＰＨＩＣＨの送信のためにＤＬであることが保証される。
【０１０７】
ダウンリンク参照構成は、準静的に構成されており、ｅＩＭＴＡ対応デバイスに固有の専用ＲＲＣシグナリングからＵＥによって取得される。この構成のＵＬサブフレームは、例えばＨＡＲＱフィードバックのためにＵＬであることが保証される。
【０１０８】
現在のアップリンク−ダウンリンク構成は、現在のフレームのどのサブフレームがアップリンクであり且つどのサブフレームがダウンリンクであるかを判定する。現在のアップリンク−ダウンリンク構成は、７つの可能な構成から選択され、参照構成から取得されたフレキシブルなサブフレームによって設定された制限内にある。現在のアップリンク−ダウンリンク構成は、定期的にブロードキャストされ、トラフィックの変動に追従する。現在のアップリンク−ダウンリンク構成は、ＰＤＣＣＨにおいてＤＣＩフォーマット１Ｃを使用して、全てのｅＩＭＴＡデバイスに（ｅＩＭＴＡ−ＲＮＴＩを使用して）ブロードキャストされる。
【０１０９】
動的ＴＤＤのフレキシブルスロットフォーマットインジケータ
ＬＴＥでは、スロットは、ダウンリンクスロット（Ｄ）、アップリンクスロット（Ｕ）、特殊フレームスロット（Ｓ）又はフレキシブルスロット（Ｆ）とすることができる。図８は、各種のスロットを含むＴＤＤフレーム構造の例を示している。「Ｓ／Ｄ」という表記は、対応するスロットがＳ又はＤのいずれかとすることができることを示している。
【０１１０】
ＮＲでは、スロットフォーマットインジケータ（ＳＦＩ）は、スロットがダウンリンク（ＤＬ）、アップリンク（ＵＬ）、サイドリンク（ＳＬ）、ブランク（予約済み）などであるかどうかを示す。図８は、Ｆスロットの初期部のスロットフォーマットインジケータ（ＳＦＩ）を示している。ＳＦＩは、フレームの現在のＴＤＤ構成によって示される送信方向をオーバーライドすることができる。例えば、Ｆスロットがアップリンクである必要があることを現在のＴＤＤ構成が示している場合、ＳＦＩは、ダウンリンクへの送信方向をオーバーライドすることができる。したがって、ＳＦＩは、スロットの粒度で動的なオーバーライド機能を提供する。
【０１１１】
いくつかの実施形態では、ＳＦＩは、Ｆスロットにのみ含まれてもよい。他の実施形態では、ＳＦＩは、フレームのいずれかのスロットに含まれてもよい。
【０１１２】
スロットフォーマットインジケータ（ＳＦＩ）は、グループ共通ＰＤＣＣＨに含めることができる。ＳＦＩは、少なくとも動的ＴＤＤシステムの現在のスロットについてのスロットフォーマットをシグナリングすることができる。いくつかの実施形態では、ＳＦＩは、現在のスロットを含む１つ以上の連続したスロットについてのスロットフォーマットをシグナリングすることができる。
【０１１３】
ＳＦＩは、ＵＥのグループに伝送される共通情報である。ＳＦＩは、スロットがＵＬ、ＤＬ、ＳＬ、ブランク（予約済み）などであるかどうかを示すことができる。
【０１１４】
ＳＦＩは、ＵＥのグループ、例えば、ＲＲＣシグナリングにより指定されたＵＥのグループによりデコード可能である。
【０１１５】
いくつかの実施形態では、非サービス提供ＵＥは、受信したＳＦＩを使用して、電力節約のために不必要なブラインドデコーディングを回避することができる。
【０１１６】
テーブルに基づくＳＦＩエンコーディング−ＵＬについてのＳＦＩ
いくつかの実施形態では、ＳＦＩは、図９に示されるアップリンク中心スロットフォーマットのいずれかを示すことができる。これらのスロットフォーマットは、集約レベル、すなわち、ともに組み合わされて連続的なアップリンク領域を形成するスロットの数が異なる。これらのアップリンク中心スロットフォーマットの主な使用例は、ＰＵＳＣＨ及び／又はＰＵＣＣＨ送信である。
【０１１７】
ＵＬ中心スロットは、ＵＥにＵＬ許可を送信するためのＰＤＣＣＨを含むことができる。
【０１１８】
ＵＬ集約レベル（ＡＬ）、例えば１，２，３，．．．，は、ＳＦＩにおいてエンコードされることができる。
【０１１９】
ＳＦＩは、ＵＬスロット集約をシグナリングすることができ、したがって、ＰＤＣＣＨは、以下のスロットのいずれにも含まれない。
【０１２０】
ＵＬスロット集約が示されている場合、非サービスＵＥは、第１のスロットのアップリンク部及び後続スロットの全てを介してスリープすることができる。（ＵＥは、集約されたスロットセットにおいてスケジュールされるかどうかを第１のスロットのＰＤＣＣＨから判定する。）例えば、ＡＬ＝３の場合、ＵＥは、第１のスロットのアップリンク部と、第２及び第３のスロットの全てを介してスリープすることができる。
【０１２１】
テーブルに基づくＳＦＩエンコーディング−ＤＬについてのＳＦＩ
いくつかの実施形態では、ＳＦＩは、図１０に示されるダウンリンク中心フォーマットのいずれかを示すことができる。これらのダウンリンク中心フォーマットは、現在のスロット、すなわち、ＳＦＩを含むスロット用である。ＳＦＩは、全てのダウンリンクスロットにおいて送信されることができる。これらのダウンリンク中心フォーマットの主な使用例は、スロット集約を有する場合と有しない場合のＰＤＳＣＨ送信である。
【０１２２】
ＳＦＩは、全てのＤＬスロットにおいて送信されることができるため、ＤＬについてのＳＦＩは、集約レベル（ＡＬ）をエンコードしなくてもよく、ＤＬ集約は、ダウンリンク制御情報（ＤＣＩ）においてＵＥ固有にシグナリングされる。
【０１２３】
ＤＬについてのＳＦＩの状態の一部は、ＰＤＣＣＨ領域にＰＤＣＣＨが存在することを示すことができる。他の状態は、ＰＤＣＣＨが存在しないことを示す。
【０１２４】
ＳＦＩ及びＤＬスロット集約の例
図１１は、第２のスロットのＰＤＣＣＨ領域に含まれるＰＤＣＣＨにより、集約の途中で追加のスケジューリングが許可されるスロット集約の例を示している。（いくつかの実施形態では、各スロットのＰＤＣＣＨ領域は、スロットの第１のＯＦＤＭシンボルにわたってもよい。）２つのスロットが集約される。一部のＵＥは、２に等しい集約レベルでスケジュールされる。更にまた、一部のＵＥは、第２のスロットにおけるＰＤＣＣＨにより、第２のスロットでスケジューリングされることができる。ＤＬデータ送信の肯定応答は、第２のスロットの終わりに送信されることができる。
【０１２５】
図１２及び図１３は、集約の途中で追加のスケジューリングを行わないスロット集約の例を示している。図１２は、２つのスロットが集約される例を示しており、図１３は、３つのスロットが集約される例を示している。スケジューリングされた全てのＵＥは、第１のスロットのＰＤＣＣＨを介して第１のスロットからスケジューリングされることができる。提供されている例では、第２のスロットから（又は任意の非初期スロットから）ＵＥがスケジューリングされていないため、第２のスロットにはＰＤＣＣＨがない。したがって、スケジューリングされていないＵＥは、第２のスロット（又は非初期スロット）においてＰＤＣＣＨを探索するブラインドデコーディングの試みを回避することができる。
【０１２６】
ＤＬについてのＳＦＩ（代替アプローチ）
あるいは、ＤＬについてのＳＦＩは、集約の非初期スロットではＰＤＣＣＨ領域が許可されないという前提で定義されることができる。図１４Ａ及び図１４Ｂに示すように、初期スロットのみがＰＤＣＣＨ領域を含む。（いくつかの実施形態では、ＰＤＣＣＨ領域は、スロットの第１のＯＦＤＭシンボルにわたることができ、グループ共通ＰＤＣＣＨ及び１つ以上のＰＤＣＣＨのセットを含む。）
【０１２７】
初期スロットのＰＤＣＣＨ領域のグループ共通ＰＤＣＣＨにおいて発生する可能性があるＤＬについてのＳＦＩは、全ての集約スロット（ＡＬ≧１）についてのＤＬ（中心）スロットフォーマットを示すことができる。主な使用例は、スロット集約を有する場合と有しない場合のＰＤＳＣＨ送信である。ＳＦＩは、初期のＤＬスロットにおいてのみ送信されることができるため、ＤＬについてのＳＦＩは、集約レベル（ＡＬ）を示す。
【０１２８】
ブランク（予約済み）／サイドリンク（ＳＬ）についてのＳＦＩ
いくつかの実施形態では、図１５に示すように、ＳＦＩの状態のいくつかは、前方互換性のために使用されるブランクスロットを示すために使用されることができる。基地局は、スロットのブランク領域中に、例えばＳＦＩを含む（又はグループ共通ＰＤＣＣＨを含む）リソース要素のセット補完中に旧式ＵＥが理解する信号を送信又は受信しないことがある。同様に、旧式ＵＥデバイスは、スロットのブランク領域中に送信機及び受信機を電源切断することがある。例えばＮＲフェーズＩＩシステムなど、将来の標準（又は現在の標準の将来のバージョン）に従って動作する基地局及びＵＥは、このスロット中に送信することができる。ＡＬは、ＳＦＩにおいてエンコードされる。したがって、複数のスロットは、複数のスロットを連続的にカバーするブランク領域を形成するように集約されることができる。
【０１２９】
いくつかの実施形態では、ＳＦＩの状態のうちの任意の１つ以上が使用され、例えば、図１５にフォーマットインデックス１３によって示すように、サイドリンク（ＳＬ）送信が有効であることを示すことができる。サイドリンク送信は、デバイスからデバイスへの送信（例えば、ＵＥからＵＥ、又は車両から車両など）である。
【０１３０】
ＤＬ及びＵＬの組み合わせ
いくつかの実施形態では、ＳＦＩの状態のいくつかが使用され、２つ以上の連続するスロットをカバーするダウンリンク及びアップリンク送信の組み合わせを示すことができる。例えば、図１６は、それぞれダウンリンク及びアップリンクの２つのスロットの組み合わせを示すＳＦＩの２つの状態を示しており、ＤＬとＵＬの比率は１である。フォーマットインデックス１４は、ＰＤＣＣＨがＰＤＣＣＨ領域に含まれることを示すことができる。フォーマットインデックス１５は、ＰＤＣＣＨがＰＤＣＣＨ領域に含まれないことを示すことができる。
【０１３１】
動的時分割複信（ＴＤＤ）
ＳＦＩは、送信方向の動的な変化がサポート又は許可されているスロットにおいて送信されることができる。例えば、図１７に示すように、現在のＴＤＤ構成によってダウンリンクスロットとして指定されているスロットは、スロットのＳＦＩをフォーマットインデックスの適切な値に設定することによってアップリンクスロットに動的に変化することができる。これは、少なくともいくつかの実施形態では、ＳＦＩのないスロットの送信方向が変更されることができないことを意味する。
【０１３２】
スロットにＳＦＩがない場合（例えば、ＵＬのみ）、スロットの送信方向は、最後に送信されたＳＦＩによって判定されることができる。
【０１３３】
基地局（例えば、ｇＮＢ）の場合、動的性及び効率の程度は、ＳＦＩが送信される頻度に依存する。例えば、図１８は、非常に動的なシナリオを示す一方で、図１９は、それほど動的ではないシナリオを示している。
【０１３４】
一般化フォーマットに基づくＳＦＩ
いくつかの実施形態では、スロットフォーマットインジケータ（ＳＦＩ）は、以下の全ての可能なフォーマットについてシンボルの集約レベル及び数の両方を示すことができる：ダウンリンクのみ、アップリンク中心、ＤＬ−ＵＬの組み合わせ。図２０に示すように、ＳＦＩは、５つのフィールドを有する。フィールドのうちの２つは、ダウンリンク領域の長さを定義する。フィールドのうちの２つは、アップリンク領域の長さを定義する。フィールドのうちの１つは、ダウンリンク領域とアップリンク領域との間のギャップ領域の長さを定義する。スロット間の境界は、そのスロット境界を発生させる必要はない。
【０１３５】
いくつかの実施形態では、ギャップ領域は、最大で１つのスロット全体を占めると想定される。したがって、これらの実施形態では、ギャップ領域の長さを指定するためにいくつかのシンボルのみが必要とされる。
【０１３６】
ダウンリンク領域は、集約されたスロットのセットの初期スロットのＰＤＣＣＨ領域の後に（例えば、直後に）生じることができる。（ＰＤＣＣＨ領域は、第１のＯＦＤＭシンボルをカバーする交互要素の列として図２０に示されている。）いくつかの実施形態では、ギャップ領域は、ダウンリンク領域の直後に続くことができる。アップリンク領域は、ギャップ領域の直後に続くことができる。
【０１３７】
いくつかの実施形態では、ＳＦＩは、以下の５つのフィールドを含む：
ＤＬスロットの数ＮＤＬ；
（ＮＤＬ＋１）番目のスロットにおけるＤＬシンボルの数；
（ＮＤＬ＋１）番目のスロットにおけるガードシンボルの数；
（ＮＤＬ＋１）番目のスロットにおけるアップリンクシンボルの数；及び
アップリンクスロットの数。
【０１３８】
ＵＥが各スロットのシンボル長を事前に知っている実施形態では、（上記のリストからの）中央の３つの数字のうちの２つのみがＳＦＩに含まれる必要があり得る。各種実施形態は、中央の３つの数字から選択された２つの数字の３つの可能な方法にそれぞれ対応するＳＦＩの少なくとも３つの実現を説明する。
【０１３９】
図５に示すように、この一般化されたフォーマット（又はシグナリング方法）は、準静的なＤＬ／ＵＬ指定（例えば、ＬＴＥ用語でのＴＤＤ構成）に使用されることができることに留意されたい。
【０１４０】
ＳＦＩによるスケジューリング
いくつかの実施形態では、基地局（例えば、ｇＮＢ）は、スロット集約を準静的又は動的にシグナリングすることができる。
【０１４１】
例えば、図２１に示すようなＵＬスロット集約では、ＰＤＣＣＨは、集約の途中、すなわち非初期スロットで送信されないことが好ましい（例えば、非初期スロットでのＰＤＣＣＨの送信は、アップリンク送信に遷移して戻るには、ギャップ領域の挿入が必要であり得る。）
【０１４２】
ＤＬでは、例えば図２２に示すように、ＰＤＣＣＨは、集約の途中で許可されることができる。ＵＥ１のＰＤＳＣＨは、第１のスロットでスケジューリングされ、集約されたスロット（すなわち、第２のスロット）の終わりまで続く。第１のオプションでは、第１のスロットの単一のＰＤＣＣＨが、全てのスロットのＵＥ１についてのＰＤＳＣＨを示すことができる。第２のオプションでは、各スロットのＰＤＣＣＨは、そのスロットのＵＥ１についてのＰＤＳＣＨを個別にスケジューリングする。ＵＥ２のＰＤＳＣＨは、第１のスロットでのみスケジューリングされる。ＵＥ３のＰＤＳＣＨは、第２のスロットでのみスケジューリングされる。
【０１４３】
ＰＤＣＣＨ領域におけるレート照合
いくつかの実施形態では、ＰＤＳＣＨが複数の集約されたスロットにわたってスケジューリングされるとき、ＰＤＳＣＨは、決してＰＤＣＣＨ領域（又は制御リソースセット）にマッピングされない。換言すれば、ＰＤＳＣＨの要素は、ＰＤＣＣＨ領域において送信されることを許可されない場合がある。図２３及び図２４では、ＵＥ１についてのＰＤＳＣＨは、どのスロットのＰＤＣＣＨ領域（第１のＯＦＤＭシンボル）にも発生しないことに留意されたい。
【０１４４】
他の実施形態では、図２５に示すように、ＰＤＳＣＨが複数の集約されたスロットにわたってスケジューリングされるとき、ＰＤＳＣＨは、ＰＤＣＣＨ領域（又は制御リソースセット）にマッピングされない。しかしながら、図２６に示すように、非第１のスロットにＰＤＣＣＨがスケジューリングされていない場合、非第１のスロットのＳＦＩは、非第１のスロットのＰＤＣＣＨ領域にＰＤＣＣＨがないことをシグナリングすることができ、ＵＥ１についてのＰＤＳＣＨは、時間周波数リソースの浪費を最小限に抑えるために、非第１のスロットのＰＤＣＣＨ領域に少なくとも部分的にマッピングされることができる。
【０１４５】
様々な異なる長さのスロットのＳＦＩ
いくつかの実施形態では、スロットの長さが７シンボルであり、スロットの長さが１４シンボルであるコンテキストにおいて、同じスロットフォーマットインジケータが使用されることができる。
【０１４６】
図２７に示すアップリンク（ＵＬ）の場合、ＰＤＣＣＨのシンボル数及びギャップの長さは既知である。したがって、ＵＬシンボルの数は、例えば、以下の式に基づいて計算されることができる：
【０１４７】
ＵＬシンボル数＝スロットのシンボル長−ギャップ長−ＰＤＣＣＨ長。
【０１４８】
図２８に示すダウンリンク（ＤＬ）の場合、ＳＦＩは、ＵＬシンボルの数を示すため（アップリンク領域がスロット内に存在する場合）、例えば以下の式に基づいて、ＤＬ（中心）スロットのＤＬシンボルの数を計算するのは簡単である：
【０１４９】
ＤＬシンボル数＝スロットのシンボル長
−（ギャップ長＋ＵＬシンボルの数）（ＵＬ存在＝真）
【０１５０】
いくつかの実施形態では、ＳＦＩは、ミニスロットで送信され、各ＳＦＩ含有ミニスロットの方向を動的に示すことができる。
【０１５１】
実施形態の１セットでは、基地局を動作させる方法２９００は、図２９に示す動作を含むことができる。
【０１５２】
２９１０において、本方法は、基地局の無線機により、無線フレームの第１のスロット内の第１のスロットフォーマットインジケータ（ＳＦＩ）を送信することを含むことができる。第１のＳＦＩは、第１のスロットの少なくとも第１の部分の第１の送信方向を示すことができる。いくつかの実施形態では、第１の送信方向は、アップリンク送信又はダウンリンク送信のいずれかとすることができる。ＳＦＩは、第１のスロットのＰＤＣＣＨ領域のグループ共通ＰＤＣＣＨに含まれることができる。ＰＤＣＣＨ領域は、第１のスロットの最初のＮ個のシンボル持続時間にわたることができ、ここで、Ｎは１よりも大きいか等しい。いくつかの実施形態では、整数Ｎは、１に等しい。
【０１５３】
第１のＳＦＩは、ＰＤＣＣＨ領域が少なくとも１つのＰＤＣＣＨを含むことを示すことができる。あるいは、第１のＳＦＩは、ＰＤＣＣＨ領域がＰＤＣＣＨを含まないことを示してもよく、したがって、ＵＥは、ＰＤＣＣＨをデコード（又は検索）しようとしないことにより電力を節約してもよい。
【０１５４】
いくつかの実施形態では、第１のＳＦＩはまた、第１のスロットの第２の部分の第２の送信方向も示し、第２の送信方向は、第１の送信方向と反対の方向である。例えば、第１の部分は、ダウンリンク部分とすることができ、第２の部分は、アップリンク部分とすることができる。
【０１５５】
いくつかの実施形態では、第１のＳＦＩはまた、第２のスロットの少なくとも一部の第２の送信方向も示し、第２のスロットは、第１のスロットの直後に続き、第２の送信方向は、第１の送信方向とは反対の方向である。
【０１５６】
いくつかの実施形態では、第１の送信方向がアップリンク送信である場合、第１のＳＦＩは、アップリンク送信のスロット集約レベルを示すことができる。
【０１５７】
いくつかの実施形態では、第１の送信方向がダウンリンク送信である場合、ダウンリンク送信のスロット集約の範囲は、第１のスロットを含む無線フレームのＤＣＩで示されることができる。
【０１５８】
いくつかの実施形態では、第１の送信方向がダウンリンク送信である場合、第１のＳＦＩは、ダウンリンク送信のスロット集約レベルを示すことができる。
【０１５９】
ＳＦＩは、２つの部分（送信方向及び集約レベル）に分割され、別々にエンコードされることができる。
【０１６０】
いくつかの実施形態では、本方法はまた、無線フレームの第２のスロットで第２のＳＦＩを無線機で送信することも含むことができ、第２のスロットは、第１のスロットの直後に続く。第２のＳＦＩは、第２のスロットの少なくとも一部の第２の送信方向を示すことができる。第２の送信方向は、アップリンク送信又はダウンリンク送信のいずれかである。第２のＳＦＩは、第２のスロットのＰＤＣＣＨ領域のグループ共通ＰＤＣＣＨに含まれることができる。
【０１６１】
いくつかの実施形態では、第２のＳＦＩは、第２のスロットのＰＤＣＣＨ領域がＰＤＣＣＨを含まないことを示してもよい。
【０１６２】
いくつかの実施形態では、本方法はまた、基地局の無線機により、無線フレームの第２のスロットで第２のＳＦＩを送信することも含むことができ、第２のＳＦＩは、第２のスロットの少なくとも一部がブランクであることを示し、第２のＳＦＩは、第２のスロットのＰＤＣＣＨ領域のグループ共通ＰＤＣＣＨに含まれる。
【０１６３】
いくつかの実施形態では、本方法はまた、無線フレームの第２のスロットで第２のＳＦＩを無線機で送信することも含むことができ、第２のＳＦＩは、第２のスロットの少なくとも一部がサイドリンクに使用されることを示し（ＵＥからＵＥ、又はＶ２Ｘなど）、第２のＳＦＩは、第２のスロットのＰＤＣＣＨ領域のグループ共通ＰＤＣＣＨに含まれる。
【０１６４】
いくつかの実施形態では、スロットは、長さが２又は７又は１４シンボルとすることができる。
【０１６５】
実施形態の１セットでは、ユーザ機器（ＵＥ）デバイスを動作させるための方法３０００は、図３０に示す動作を含むことができる。
【０１６６】
３０１０において、ＵＥデバイスの無線機は、無線フレームの第１のスロットから第１のスロットフォーマットインジケータ（ＳＦＩ）を受信することができ、第１のＳＦＩは、第１のスロットの少なくとも第１の部分の第１の送信方向を示し、第１の送信方向は、アップリンク又はダウンリンクのいずれかである。ＳＦＩは、第１のスロットのＰＤＣＣＨ領域のグループ共通ＰＤＣＣＨに含まれ、ＰＤＣＣＨ領域は、第１のスロットの最初のＮ個のシンボル持続時間にわたり、ここで、Ｎは、１よりも大きいか等しい。
【０１６７】
いくつかの実施形態では、本方法はまた、第１の送信方向に基づいて、第１のスロットの第１の部分でアップリンク送信又はダウンリンク受信を実行することも含むことができる。換言すれば、ＵＥ無線機は、第１の送信方向がアップリンクである場合、アップリンク送信を実行し、第１の送信方向がダウンリンクである場合、ダウンリンク受信を実行する。
【０１６８】
いくつかの実施形態では、整数Ｎは、１に等しい。
【０１６９】
いくつかの実施形態では、本方法はまた、第１のスロットのＰＤＣＣＨ領域が少なくとも１つのＰＤＣＣＨを含むことをＳＦＩが示すと判定したことに応答して、ＰＤＣＣＨ領域からＰＤＣＣＨをデコーディングする（又はデコードを試行する）ことも含むことができる。
【０１７０】
いくつかの実施形態では、本方法はまた、ＰＤＣＣＨ領域がＰＤＣＣＨを含まないことを第１のＳＦＩが示すと判定したことに応答して、ＰＤＣＣＨ領域からＰＤＣＣＨ情報をデコードする試みを省略することも含むことができる。
【０１７１】
いくつかの実施形態では、本方法はまた、第１のＳＦＩが第１のスロットの第２の部分の第２の送信方向を示すと判定したことに応答して、第１の送信方向と反対の方向である第２の送信方向に基づいて第１のスロットの第２の部分でダウンリンク受信又はアップリンク送信を実行することも含むことができる。
【０１７２】
いくつかの実施形態では、第１のＳＦＩはまた、第２のスロットの少なくとも一部の第２の送信方向も示し、第２のスロットは、第１のスロットの直後に続き、第２の送信方向は、第１の送信方向とは反対の方向である。
【０１７３】
いくつかの実施形態では、第１の送信方向は、アップリンク送信であり、第１のＳＦＩは、アップリンク送信のスロット集約レベルを示す。
【０１７４】
いくつかの実施形態では、第１の送信方向は、ダウンリンク送信であり、ダウンリンク送信のスロット集約の範囲は、第１のスロットを含む無線フレームのＤＣＩで示される。
【０１７５】
いくつかの実施形態では、第１の送信方向は、ダウンリンク送信であり、第１のＳＦＩは、ダウンリンク送信のスロット集約レベルを示す。
【０１７６】
ＳＦＩは、２つの部分（送信方向及び集約レベル）に分割され、別々にエンコードされることができる。
【０１７７】
いくつかの実施形態では、本方法はまた、ＵＥデバイスの無線機により、無線フレームの第２のスロットで第２のＳＦＩを受信することを含むことができ、第２のスロットは、第１のスロットの直後に続き、第２のＳＦＩは、第２のスロットの少なくとも一部の第２の送信方向を示し、第２の送信方向は、アップリンク送信又はダウンリンク送信のいずれかであり、第２のＳＦＩは、第２のスロットのＰＤＣＣＨ領域のグループ共通ＰＤＣＣＨに含まれる。
【０１７８】
いくつかの実施形態では、本方法はまた、第２のスロットのＰＤＣＣＨ領域がＰＤＣＣＨを含まないことを第２のＳＦＩが示すことに応答して、第２のスロットのＰＤＣＣＨ領域からＰＤＣＣＨ情報をデコードしようとすることによって電力を節約することも含むことができる。
【０１７９】
いくつかの実施形態では、本方法はまた、以下を含むこともできる。ＵＥデバイスの無線機により、無線フレームの第２のスロットで第２のＳＦＩを受信することと、第２のスロットの少なくとも一部がブランクであることを第２のＳＦＩが示すことに応答して、第２のスロットの当該少なくとも一部におけるアップリンク送信又はダウンリンク受信を無効にすることであって、第２のＳＦＩは、第２のスロットのＰＤＣＣＨ領域のグループ共通ＰＤＣＣＨに含まれること。
【０１８０】
いくつかの実施形態では、本方法はまた、無線フレームの第２のスロットで第２のＳＦＩを無線機で受信することと、当該少なくとも一部がサイドリンクに使用されることを第２のＳＦＩが示すと判定することに応答して、第２のスロットの少なくとも一部でサイドリンク送信を実行することとを含むことができ、第２のＳＦＩは、第２のスロットのＰＤＣＣＨ領域のグループ共通ＰＤＣＣＨに含まれる。
【０１８１】
いくつかの実施形態では、スロットの長さは、２又は７又は１４シンボルである。
【０１８２】
図３１−定期的なＳＦＩ
図３１に示すように、ＳＦＩは、ネットワークによって定期的に送信され、１つ以上のスロットのスロットフォーマットを示すことができる。以下により詳細に説明するように、ＳＦＩは、値（例えば、ＵＥのために構成された又はＵＥに提供されたＵＥテーブルのインデックス）を指すことができる。値は、各セットがスロットに対応するシンボルの方向の１つ以上のセットを示すことができる。図３１の例示的な実施形態では、値は、５スロットの監視期間のテーブルを指し、ＳＦＩは、５スロットごとに提供される。例えば、示された実施形態では、第１の監視期間に提供されるＳＦＩ値は１であり、これは、最初の４つのスロットのそれぞれについて１４個及び最終スロットについて４個のフォーマットを指すことができる。第２の期間では、提供されたＳＦＩ値は、２とすることができ、これは、最初の３つのスロットについて１４個及び最後の２つのスロットについて４個のフォーマットを示す。第３の期間では、提供されたＳＦＩ値は、３を有することができ、これは、最初の２つのスロットについて１４個及び最後の３つのスロットについて４個のフォーマットを示す。いくつかの実施形態では、この例示的な期間及び値は、図４１の例示的なＵＥテーブルに対応することができる。
【０１８３】
ＳＦＩ値を効率的な方法で提供するために、スロット内の各シンボルの方向の可能性を列挙することができる。例えば、スロット内のシンボルの数が１４である実施形態では、１４個のシンボル可能性及び／又は７個のシンボル可能性に従って可能性を列挙することができる（例えば、１４個のシンボル可能性を生成するために組み合わせることができる）。
【０１８４】
１４個のシンボル可能性が列挙されている場合、シンボルの総数は１４である。Ｘ個のダウンリンク（ＤＬ）シンボル、Ｙ個の未知（Ｕ）シンボル、及びＺ個のアップリンク（ＵＬ）シンボルがあることができ、Ｘ＋Ｙ＋Ｚ＝１４である。
【０１８５】
図３２Ａ−図３２Ｎは、０又は１の切り替えポイント、反復なし及び様々な数の未知シンボルを有する１４個のスロット可能性を示している。特に、図３２Ａは、１４個のシンボル、０個のスイッチング、０個の未知シンボル、及び反復なし（図３２Ａ−図３２Ｎの残りの部分を想定）の可能性（Ａ１−Ａ３）を示している。したがって、以下の３つの可能性がある：全てＤＬ（フォーマットＡ１）、全てＵ（フォーマットＡ２）、及び全てＵＬ（フォーマットＡ３）。図３２Ｂは、１４個のシンボル、１個のスイッチング、及び１個の未知の可能性（フォーマットＡ４−Ａ１７）を示している。未知シンボルは、ＤＬからＵＬへの切り替え時にバッファを提供することができるが（例えば、ＵＥ遷移用）、そのようなバッファは、ＵＬからＤＬへの切り替え時には不要とすることができることに留意されたい。図３２Ｃは、１４個のシンボル、１個のスイッチング、及び２個の未知の可能性（フォーマットＡ１８−Ａ３０）を示している。図３２Ｄは、１４個のシンボル、１個のスイッチング、３個の未知の可能性（フォーマットＡ３１−Ａ４２）を示している。図３２Ｅは、１４個のシンボル、１個のスイッチング、及び４個の未知の可能性（フォーマットＡ４３−Ａ５３）を示している。図３２Ｆは、１４個のシンボル、１個のスイッチング、及び５個の未知の可能性（フォーマットＡ５４−Ａ６３）を示している。図３２Ｇは、１４個のシンボル、１個のスイッチング、６個の未知の可能性（フォーマットＡ６４−Ａ７２）を示している。図３２Ｈは、１４個のシンボル、１個のスイッチング、及び７個の未知の可能性（フォーマットＡ７３−Ａ８０）を示している。図３２Ｉは、１４個のシンボル、１個のスイッチング、及び８個の未知の可能性（フォーマットＡ８１−Ａ８７）を示している。図３２Ｊは、１４個のシンボル、１個のスイッチング、及び９個の未知の可能性（フォーマットＡ８８−Ａ９３）を示している。図３２Ｋは、１４個のシンボル、１個のスイッチング、及び１０個の未知の可能性（フォーマットＡ９４−Ａ９８）を示している。図３２Ｌは、１４個のシンボル、１個のスイッチング、及び１１個の未知の可能性（フォーマットＡ９９−Ａ１２０）を示している。図３２Ｍは、１４個のシンボル、１個のスイッチング、及び１２個の未知の可能性（フォーマットＡ１０３−Ａ１０５）を示している。図３２Ｎは、１４個のシンボル、１個のスイッチング、及び１３個の未知の可能性（フォーマットＡ１０６−Ａ１０７）を示している。
【０１８６】
図３３Ａ−図３３Ｅは、反復７スロット（２つの切り替えポイント）と様々な数の未知シンボルを使用した１４スロットの可能性を示している。特に、図３３Ａは、１４個のシンボル、２個のスイッチング、及び２個の未知の可能性（フォーマットＢ１−Ｂ５）を示している。図３３Ｂは、１４個のシンボル、２個のスイッチング、及び４個の未知の可能性（フォーマットＢ６−Ｂ９）を示している。図３３Ｃは、１４個のシンボル、２個のスイッチング、及び６個の未知の可能性（フォーマットＢ１０−Ｂ１２）を示している。図３３Ｄは、１４個のシンボル、２個のスイッチング、及び８個の未知の可能性（フォーマットＢ１３−Ｂ１４）を示している。図３３Ｅは、１４個のシンボル、２個のスイッチング、及び１０個の未知の可能性（フォーマットＢ１５）を示している。上述したように、これらの図では、ＵＬからＤＬに切り替えるときにバッファＵシンボルはないが、そのような可能性もまた想定される。
【０１８７】
図３４Ａ−図３４Ｕは、２つの切り替えポイント（７シンボルの２つのセット）を有し且つ反復がない１４スロットの可能性を示している。特に、図３４Ａ−図３４Ｆは、１４個のシンボル、２個のスイッチング、及び２個の未知の可能性（フォーマットＣ１−Ｃ２５）を示している。図３４Ｇ−図３４Ｋは、１４個のシンボル、２個のスイッチング、及び４個の未知の可能性（フォーマットＣ２６−Ｃ４６）を示している。図３４Ｌ−図３４Ｏは、１４個のシンボル、２個のスイッチング、及び６個の未知の可能性（フォーマットＣ４７−Ｃ５９）を示している。図３４Ｐ−図３４Ｒは、１４個のシンボル、２個のスイッチング、及び８個の未知の可能性（フォーマットＣ６０−Ｃ６６）を示している。図３４Ｓ−図３４Ｔは、１４個のシンボル、２個のスイッチング、及び１０個の未知の可能性（フォーマットＣ６７−Ｃ６９）を示している。図３４Ｕは、１４個のシンボル、２個のスイッチング、及び１２個の未知の可能性（フォーマットＣ７０）を示している。上述したように、これらの図では、ＵＬからＤＬに切り替えるときにバッファＵシンボルはないが、そのような可能性もまた想定される。
【０１８８】
図３５Ａ−図３５Ｇは、０と１の切り替えポイントを有し且つ反復がない７スロットの可能性（１４スロットの可能性を形成するために組み合わせることができる）を示している。１４スロットの可能性と同様に、シンボルの総数は７である。したがって、Ｘは、ＤＬシンボルの数であり、Ｙは、未知シンボルの数であり、Ｚは、ＵＬシンボルの数であるため、Ｘ＋Ｙ＋Ｚ＝７である。図３５Ａは、７個のシンボル及び０個のスイッチングの可能性（Ｄ１−Ｄ３）を示している。図３５Ｂは、７個のシンボル、１個のスイッチング、及び１個の未知の可能性（Ｄ４−Ｄ１０）を示している。図３５Ｃは、７個のシンボル、１個のスイッチング、及び２個の未知の可能性（Ｄ４−Ｄ１０）を示している。図３５Ｄは、７個のシンボル、１個のスイッチング、及び３個の未知の可能性（Ｄ１１−Ｄ１６）を示している。図３５Ｅは、７個のシンボル、１個のスイッチング、及び４個の未知の可能性（Ｄ２２−Ｄ２５）を示している。図３５Ｆは、７個のシンボル、１個のスイッチング、及び５個の未知の可能性（Ｄ２６−Ｄ２８）を示している。図３５Ｇは、７個のシンボル、１個のスイッチング、及び６個の未知の可能性（Ｄ２９−Ｄ３０）を示している。
図３６−図３８−単一スロットフォーマット
【０１８９】
上述した様々な列挙された可能性が使用され、単一スロットフォーマット（例えば、１４個のＯＦＤＭシンボルを有する）を指定することができる。例えば、図３６は、１４個のシンボルフォーマットのみに基づいて、単一スロットフォーマットを列挙する第１の方法を示している（例えば、図３２Ａ−図３４Ｕに対応）。この場合、単一スロットフォーマットインデックス（インデックス０で開始し、インデックス１９３に進む）は、図３２Ａ−図３４Ｕに示されているフォーマットインデックスを参照することによってフォーマットを指定することができる。例えば、図３６では、０の単一スロットフォーマットインデックスは、図３２Ａ（全てのＤＬ）のフォーマットＡ１に対応する。同様に、インデックス１１１は、図３３ＡのＢ３（ＤＬ、ＤＬ、ＤＬ、Ｕ、ＵＬ、ＵＬ、ＵＬ、ＤＬ、ＤＬ、ＤＬ、Ｕ、ＵＬ、ＵＬ、ＵＬ）を指す。
【０１９０】
他の可能性として、図３７は、１４シンボル及び７シンボルの両方のフォーマットに基づいて、単一スロットフォーマットテーブルを構築する。特に、テーブルの第１の部分は、図３２Ａ−Ｎのフォーマットに対応することができ、第２の部分は、図３５Ａ−Ｇのフォーマットに対応することができる（０−１０６は、図３６と同じであるが、残りの単一スロットフォーマット１０７−１９１は、図３５Ａ−Ｇの７個のスロットフォーマットの組み合わせとして指定される）。例えば、図３６の１９１は、Ｃ７０として指定され、これは、Ｄ２９とＤ３０の組み合わせとして指定された図３７の１９１と同じである。
【０１９１】
さらなる可能性として、図３８に示すように、テーブル全体は、７個のスロットフォーマットの組み合わせとして指定されることができる。
【０１９２】
これら３つの図は、例示に過ぎず、他の単一スロットフォーマットのテーブルが想定されることに留意されたい。いくつかの実施形態では、これらのテーブルのうちの１つと同様のテーブルが、例えばＬＴＥ又は５Ｇ  ＮＲに対応する将来の３ＧＰＰ仕様で指定されることができる。
【０１９３】
図３９−図４１−ＵＥ  ＳＦＩテーブル
ＵＥテーブルは、図３６−図３８のもののうちの１つなど、単一スロットフォーマットテーブルのサブセットとして構築されることができる。例えば、ＵＥテーブルは、送信中に選択されることができる少数の単一スロットフォーマット（又は単一スロットフォーマットのセット）を選択することができる。いくつかの実施形態では、このテーブルは、ネットワーク（例えば、基地局）によって選択され、ＵＥに提供又は示されることができる。テーブルは、各ＵＥに固有とすることができ、ＵＥのサブセットに適用することができ、全てのＵＥに適用することができ、異なる種類のＵＥに適用することができ（例えば、特定のベンダー又はモデル番号のそれぞれのＵＥが異なるＵＥテーブルを有する）、又はその他の可能性とすることができる。
【０１９４】
いくつかの実施形態では、ＵＥ（例えば、ユーザ固有の）テーブルの各エントリは、スロットのうちの任意の１つ以上のためのＳＦＩインデックス値のシーケンスを有することができる。このテーブルのサイズは、異なることができ、ＳＦＩのビット長（ｌｅｎｇｔｈ（ＳＦＩ）＝ｃｅｉｌ（ｌｏｇ２（ＵＥテーブルのサイズ））を判定することができる。したがって、そのようなテーブルの使用に同意すると、ネットワークは、ＳＦＩを介してＵＥテーブル内のＳＦＩインデックスのうちの１つを示すことができる。
【０１９５】
図３９は、１スロットのＳＦＩ期間の例示的なＵＥテーブルを示している。この例では、０のＳＦＩ値は、到来スロットについて単一スロットフォーマット０（全てのＤＬ方向シンボルを有するＡ１に対応）の使用を示す。しかしながら、図に示すように、ＳＦＩ値は、所望であれば単一のスロットよりも多くを指定することができるが、他の実施形態では、各ＵＥテーブルインデックス値に対して単一スロットフォーマットのみが提供される。特に、図３９では、１−７のＳＦＩ値は、単一の到来スロットよりも多い複数のスロットフォーマットを示している。例えば、ＳＦＩ  １は、２つの連続する到来スロットでスロットフォーマット５（Ａ６に対応）を使用することに対応する。ＳＦＩ  ３−６は、３つの到来スロットのフォーマットを指定し、ＳＦＩ  ７は、４つの到来スロットのフォーマットを指定する。いくつかの実施形態では、複数のスロットが指定されているが、より短期間内に新たなＳＦＩ値が提供される場合（例えば、この場合は全てのスロット）、新たな値は、以前に提供されたＳＦＩ値と互換性があることができる。
【０１９６】
図４０は、２スロットのＳＦＩ期間の例示的なＵＥテーブルを示している。ＳＦＩ値０−２は、到来する２つのスロットを指定し、値３−６は、４つのスロットを指定し、値７は未使用である。
【０１９７】
図４１は、５スロットのＳＦＩ期間の例示的なＵＥテーブルを示している。この例では、ＳＦＩ値０−５は、５スロットを指定し、値６−７は、１０スロットを指定する。
【０１９８】
図４２は、オフセット付きの例示的なＳＦＩプロビジョニングを示している。この実施形態では、ＳＦＩ値は、例えば既知の数のシンボル又はスロットによって、ＳＦＩ値が有効になるときよりも早く提供されることができる。図４２に示すように、ＳＦＩ値は、有効になる前に１スロット提供される。例えば、ＳＦＩ値２は、６番目のスロットで有効になるように５番目のスロットの先頭に提供される。この例では、ＳＦＩ値２は、図４１の例示的なＵＥテーブルに対応し、対応する５スロット（６−１０）が単一スロットフォーマット１４（Ａ１５に対応）、１４、１４、４（Ａ５に対応）、及び４を使用することを示す。
【０１９９】
したがって、いくつかの実施形態では、ＳＦＩは、ＵＥがＳＦＩを搬送するＧＣ−ＰＤＣＣＨをデコードするのに十分な時間を与えるために適用された時間からのタイミングオフセットで送信されることができる。このオフセットは、０、１、２、・・・の値とすることができ、他の可能性の中でもとりわけＲＲＣ構成とされることができる。
【０２００】
ＳＦＩ値の使用
いくつかの実施形態では、ＵＥは、ＲＲＣシグナリングにより１つ以上のＣＯＲＥＳＥＴ（制御リソースセット；ＣＯｎｔｒｏｌ  ＲＥｓｏｕｒｃｅ  ＳＥＴ）を監視するように構成されている。ＣＯＲＥＳＥＴは、準静的に指定されたＤＬ又は未知のリソースのいずれかで構成されていることができる。したがって、スロット内の構成済みのＣＯＲＥＳＥＴについて、動的ＳＦＩがまだ利用できず、誤検出されていない場合、ＵＥは、ＣＯＲＥＳＥＴを監視することができる（例えば、ＤＬ送信について）。同様に、動的ＳＦＩがＤＬを示す場合、ＵＥは、ＣＯＲＥＳＥＴを監視することができる。
【０２０１】
いくつかの実施形態では、動的ＳＦＩが未知を示す場合、ＵＥは、そのＣＯＲＥＳＥＴを監視することになっていてもよい。しかしながら、他の実施形態では、ＵＥは、この場合、ＣＯＲＥＳＥＴを無視するか又は監視しないように構成されてもよい。
【０２０２】
動的ＳＦＩがＵＬを示す場合、ＵＥは、望ましい動作に応じて、１）ＣＯＲＥＳＥＴを監視しないか、又は２）ＣＯＲＥＳＥＴを監視するかのうちの１つを実行することができる。
【０２０３】
一部の場合には、ＳＦＩ検出でエラーが発生したり、異なる値の間で競合が発生したりすることがある（例えば、準静的指定、ＳＦＩ、ダウンリンク制御情報（ＤＣＩ）など）。例えば、ＵＥは、シンボルが未知であることを示すものとして、任意の誤検出されたＳＦＩを扱うことができる。上記の実施形態に従って、未知の場合、ＵＥは、ＣＯＲＥＳＥＴを監視するように構成されてもよい。
【０２０４】
各種実施形態によれば、送信方向の異なる値の間に競合がある場合、ＵＥは、競合のあるシンボル又はスロットで何かを送信及び／又は受信しなくてもよい。例えば、以下の場合にこの動作が適用されることができる：準静的指定がシンボルのＤＬを示し、ＳＦＩが未知を示す場合；準静的指定がＵＬを示し、ＳＦＩが未知を示す場合；準静的指定がＤＬを示し、ＳＦＩがＵＬを示す場合；準静的指定がＵＬを示し、ＳＦＩがＤＬを示す場合；ＳＦＩがＵＬを示し、ＤＣＩがＤＬを示す場合；ＳＦＩがＤＬを示し、ＤＣＩがＵＬを示す場合。
【０２０５】
図４３−フレキシブルスロットインジケータの利用
図４３は、無線通信においてフレキシブルスロットインジケータを利用するための装置、システム、及び方法を示すフローチャート図である。図４３の方法の態様は、本明細書中の様々な図に例示され説明されている、無線機器、基地局、並びに／又はＵＥ１０６、ＢＳ１０２、及び／若しくはネットワーク１００などのネットワークによって、あるいは、より一般的には、必要に応じて、他のデバイスの中でもとりわけ上述した図に示されるコンピュータシステム又はデバイスのいずれかと併せて、実装することができる。様々な実施形態では、図示された方法の要素のうちのいくつかを同時に実行してもよく、図示されたものとは異なる順序で実行してもよく、他の方法要素によって置換されてもよく、又は省略してもよい。要望に応じて、追加の方法要素も実行されてもよい。図に示すように、図４３の方法は、以下のように動作し得る。
【０２０６】
４３０２では、基地局（ＢＳ）は、第１のユーザ機器デバイス（ＵＥ）との通信を確立することができる。ＢＳ及びＵＥは、それぞれ、互いに及び／又は他のデバイスとの無線通信を実行するための無線通信回路を含むことができる。更に、ＢＳ及びＵＥは、それぞれ、例えば、プログラム命令を実行してそれぞれのデバイスを動作させることができる１つ以上の処理要素を含むことができる。
【０２０７】
４３０４では、ＢＳは、１つ以上のスロットに含まれる複数のシンボルのそれぞれについての送信方向を判定することができる。ＢＳは、必要に応じて、この複数のシンボルの送信方向を動的な方法で又は準静的な方法で判定してもよい。更に、判定は、ＢＳと通信している単一のＵＥ、複数のＵＥ、及び／又は全てのＵＥに対して実行されてもよい。
【０２０８】
４３０４での判定に基づいて、４３０６では、ＢＳは、１つ以上のスロット（例えば、連続スロット）に含まれる複数のシンボルのそれぞれの送信方向を示す情報を送信することができる。いくつかの実施形態では、この情報は、スロットフォーマットインジケータ（ＳＦＩ）とすることができ、これは、便宜上フローチャートの残りの部分で情報を記述するために使用されるが、情報は、ＳＦＩのみに限定されない。ＳＦＩは、例えば「アップリンク」、「ダウンリンク」、及び／又は「未知」として、第１のスロットの１４個のシンボルについての送信方向を指定することができる（「サイドリンク」、「フレキシブル」、「スペシャル」、又は「ブランク」もまた意図されるが）。
【０２０９】
いくつかの実施形態では、ＢＳは、１つ以上のＵＥ（例えば、ＲＲＣシグナリングにより指定される）によりデコード可能とすることができるグループ共通ＰＤＣＣＨ内でＳＦＩを送信することができる。サービスを受けていないＵＥは、ＳＦＩを使用して、デコーディングが不要なときを判定し（例えば、それによりブラインドデコーディングを回避する）、電力消費を削減することができる。
【０２１０】
ＳＦＩは、複数のシンボルの以前の指示又は既定の送信方向を上書きすることができることに留意されたい。例えば、アップリンクとして以前に示されたシンボルは、ＳＦＩを介してダウンリンクに上書きされることができる。いくつかの実施形態では、フレキシブルなシンボル、特別なシンボル、又は未知のシンボルのみが上書きされることが可能にされることができるが、他の実施形態では、この制限された上書きは、真実ではなくすることができる。したがって、いくつかの実施形態によれば、ＳＦＩは、以前に示された送信方向構成に対して動的オーバーライド機能を提供することができる。
【０２１１】
いくつかの実施形態では、ＢＳは、複数の送信方向のセットを指定するＳＦＩテーブルをＵＥに送信することができ、送信方向の各セットは、少なくとも１つのスロットの送信方向を指定する。したがって、ＳＦＩは、送信方向のセットのうちの１つを指定するかあるいは示すテーブルのテーブルエントリを参照することができる。いくつかの実施形態では、単一の送信方向のセット（例えば、単一のスロットに対する）は、単一スロットフォーマットによって示されることができる。単一スロットフォーマットは、既知の単一スロットフォーマットのテーブルのインデックス値によって示されてもよい（例えば、ＬＴＥ又はＮＲなどの無線規格によって指定される）。したがって、ＳＦＩテーブルは、複数のエントリを含むことができ、各エントリは、ＳＦＩテーブル内のエントリによって示されるスロットの数に応じて、１つ以上の単一スロットフォーマットを指定する。ＳＦＩテーブルは、以前に（例えば、ＳＦＩを送信する前に）ＢＳによって、異なるＢＳ又は無線ネットワークの他のエンティティによって送信されていてもよく、及び／又は異なる時間にＵＥによって単に記憶されていてもよいことに留意されたい。
【０２１２】
いくつかの実施形態では、ＢＳは、複数のスロットのシンボルについての送信方向を判定するように構成されていることができ、ＳＦＩは、一度に複数のスロットのシンボルについての送信方向を示すことができる。例えば、ＳＦＩは、第１のスロット、第２のスロット、又はｎスロットの送信方向を示してもよい。これらの送信方向は、スロットのそれぞれについて同じであっても異なっていてもよい。例えば、送信方向は、単一のＳＦＩによって示される第１のスロット及び第２のスロットについて同じである場合がある。あるいは、送信方向は、両方が単一のＳＦＩによって示されていたとしても、第１のスロットと第２のスロットとの間で異なる場合がある。いくつかの実施形態では、単一のＳＦＩは、上述したＳＦＩテーブルのエントリを参照することができ、テーブルエントリは、複数のスロットに対する複数の単一スロットフォーマット（例えば、テーブルエントリにより指定されたそれぞれのスロットに対応）を示すことができる。したがって、ＳＦＩは、複数のスロット（例えば、連続したスロット）に対して複数の単一スロットフォーマットを指定するＳＦＩテーブルのインデックス値又はテーブルエントリに対応することができる。
【０２１３】
テーブルの各エントリによって示されるスロットの数は、異なっていてもよいことに留意されたい（例えば、第１のインデックス値は、単一のスロットの単一スロットフォーマットを示すことができるが、第２のインデックス値は、複数のスロットの複数の単一スロットフォーマットを示すことができる）。例えば、一実施形態において、ＳＦＩテーブルのインデックスは、ＧＣ−ＰＤＣＣＨのＳＦＩフィールドを介して、例えば定期的に送信されることができる。ＳＦＩテーブルは、異なるエントリに異なる長さのスロットフォーマットを含めることができるようにフレキシブルとすることができる。例えば、ＳＦＩインデックス１は、到来する２つのスロットのスロットフォーマットを示すことができ、ＳＦＩインデックス２は、到来する４つのスロットのフォーマットを示すことができる。
【０２１４】
一実施形態では、ＳＦＩは、所与の期間のＤＬスロットの数、ＤＬシンボルの数、ギャップの数、ＵＬシンボルの数、及び／又はＵＬスロットの数をともに示す一般化されたフォーマットを有することができる。ＵＥにシグナリングされたこれらの５つ（又は場合によってはシグナリングされた合計期間によって４つ）の情報を用いて、ＵＥは、到来する期間のスロットフォーマット（例えば、全てのＯＦＤＭシンボルの送信方向）を判定することができる。いくつかの実施形態では、この一般化されたフォーマットは、準静的なＵＬ／ＤＬ送信を示すために使用されることができる。例えば、一実施形態では、ＳＦＩは、ダウンリンク送信領域、ギャップ領域及びアップリンク領域への複数のスロットの区画を定義するサイズパラメータを含むことができ、当該領域間の境界は、シンボルの粒度で指定される。この一般化されたフォーマットは、他の時間に（例えば、準静的構成中に）提供されることができ、ＳＦＩ以外のものと呼ばれることができることに留意する必要がある（例えば、ＳＦＩは、準静的構成を変更するために後の期間で使用されることができる）。
【０２１５】
４３０６では、ＢＳ及びＵＥは、ＳＦＩによって示された判定された送信方向に従って１つ以上のスロットの間に通信を実行することができる。
【０２１６】
いくつかの実施形態では、ＵＥが以前の構成（例えば、ＣＯＲＥＳＥＴ、ＤＣＩ値、又は送信方向の以前の構成で指定された）とシンボルのＳＦＩとの競合を検出すると、特定の競合に応じて、シンボルごとに動作を判定することができる。例えば、送信方向に競合がある場合（例えば、ＳＦＩ又は以前の構成のいずれかがシンボル中にＵＥ送信を指定しているが、他方は指定していない場合）、ＵＥは、シンボル中に送信しないように構成されていることができる（例えば、他の何らかのアクションを実行するか又は一般に送信を回避する）。競合の動作の実施形態については、「ＳＦＩ値の使用」という見出しの下で上述している。
【０２１７】
ＳＦＩの判定及び／又は送信は、複数回、例えば定期的に実行されることができることに留意されたい。例えば、ＳＦＩは、ｎスロットごとに定期的に送信されることができ、ここで、ｎは、任意の所望の値（例えば、１、２、３、５、１０など）とすることができる。追加的に又は代替的に、ＳＦＩは、異なるイベント又は状況に基づいて動的に判定又は更新されてもよい。例えば、ＳＦＩは、例えばＢＳによって送信されるなど、新たなＳＦＩによって更新されるまで有効とすることができる。いくつかの実施形態では、ＳＦＩは、ＳＦＩによって示される１つ以上のスロットの前に１つ以上のシンボル（例えば、複数のシンボル）を送信されることができる。例えば、ＳＦＩは、ＳＦＩによって示されるスロットについてＳＦＩによって示される送信方向に対してＵＥが準備できることを保証するために、将来のスロットのために送信されてもよい。
【０２１８】
例示的な実施形態
更なる例示的な実施形態が以下に提供される。
【０２１９】
一組の実施形態は、ＵＥデバイスを動作させる方法において、ＵＥデバイスの無線機により、無線フレームにおいて各スロットに関連付けられた基本送信方向を示す基本ＴＤＤ構成を識別する情報を受信することと、ＵＥデバイスの無線機により、無線フレームの所与のスロットのＰＤＣＣＨ領域内のグループ共通ＰＤＣＣＨからスロットフォーマットインジケータ（ＳＦＩ）を受信することであって、所与のスロットに関連付けられた基本送信方向が基本送信方向とは反対の新たな送信方向に動的にオーバーライドされることをＳＦＩが示すことと、当該ＳＦＩの受信に応答して、新たな送信方向に従って所与のスロットにおいてアップリンクデータ送信又はダウンリンクデータ受信を実行することとを備える、方法を含むことができる。
【０２２０】
いくつかの実施形態では、所与のスロットの基本送信方向は、アップリンクである。
【０２２１】
いくつかの実施形態では、所与のスロットの基本送信方向は、ダウンリンクである。
【０２２２】
一組の実施形態は、基地局を動作させる方法において、基地局の無線機により、無線フレームにおいて各スロットに関連付けられた基本送信方向を示す基本ＴＤＤ構成を識別する情報を送信することと、基地局の無線機により、無線フレームの所与のスロットのＰＤＣＣＨ領域内のグループ共通ＰＤＣＣＨ内のスロットフォーマットインジケータ（ＳＦＩ）を送信することであって、所与のスロットに関連付けられた基本送信方向が基本送信方向とは反対の新たな送信方向に動的にオーバーライドされることをＳＦＩが示すことと、新たな送信方向に基づいて、所与のスロットにおいてアップリンクデータ受信又はダウンリンクデータ送信を実行することとを備える、方法を含むことができる。
【０２２３】
他の組の実施形態は、ＵＥデバイスを動作させる方法において、ＵＥデバイスの無線機により、無線フレームの所与のスロットのＰＤＣＣＨ領域内のグループ共通ＰＤＣＣＨからスロットフォーマットインジケータ（ＳＦＩ）を受信することを備え、所与のスロット内の各シンボルについて、ＳＦＩが、そのシンボルの送信方向を判定し、ＰＤＣＣＨ領域が、所与のスロットの最初のＮ個のシンボル持続時間にわたる、方法を含むことができる。
【０２２４】
他の組の実施形態は、基地局を動作させる方法において、基地局の無線機により、無線フレームの所与のスロットのＰＤＣＣＨ領域のグループ共通ＰＤＣＣＨ内のスロットフォーマットインジケータ（ＳＦＩ）を送信することを備え、所与のスロット内の各シンボルについて、ＳＦＩが、そのシンボルの送信方向を判定し、ＰＤＣＣＨ領域が、所与のスロットの最初のＮ個のシンボル持続時間にわたる、方法を含むことができる。
【０２２５】
他の組の実施形態は、ＵＥデバイスを動作させる方法において、ＵＥデバイスの無線機により、無線フレームの所与のスロットのＰＤＣＣＨ領域のグループ共通ＰＤＣＣＨからスロットフォーマットインジケータ（ＳＦＩ）を受信することを備え、所与のスロットが無線フレームの１つ以上のスロットの集約セットの第１のスロットであることをＳＦＩが示し、１つ以上のスロットが時間的に連続しており、ＳＦＩが当該１つ以上のスロットの数を示し、ＳＦＩがまた、１つ以上のスロットの集約セットが将来の使用のために予約されているか、又は当該ＵＥデバイスと他のＵＥデバイスとの間のサイドリンク送信に使用されるかを示す、方法を含むことができる。
【０２２６】
他の組の実施形態は、基地局を動作させる方法において、基地局の無線機により、無線フレームの所与のスロットのＰＤＣＣＨ領域のグループ共通ＰＤＣＣＨ内のスロットフォーマットインジケータ（ＳＦＩ）を送信することを備え、所与のスロットが無線フレームの１つ以上のスロットの集約セットの第１のスロットであることをＳＦＩが示し、１つ以上のスロットが時間的に連続しており、ＳＦＩが当該１つ以上のスロットの数を示し、ＳＦＩがまた、１つ以上のスロットの集約セットが将来の使用のために予約されているか、又はＵＥデバイス間のサイドリンク送信に使用されるかを示す、方法を含むことができる。
【０２２７】
他の組の実施形態は、ＵＥデバイスを動作させる方法において、ＵＥデバイスの無線機により、無線フレームの所与のスロットのＰＤＣＣＨ領域のグループ共通ＰＤＣＣＨからスロットフォーマットインジケータ（ＳＦＩ）を受信することを備え、所与のスロットが無線フレームの１つ以上のスロットの集約セットの第１のスロットであることをＳＦＩが示し、１つ以上のスロットが時間的に連続しており、ＳＦＩが当該１つ以上のスロットの数を示し、１つ以上のスロットの集約セット内の各シンボルに対して、ＳＦＩがシンボルの送信方向を判定する、方法を含むことができる。
【０２２８】
他の組の実施形態は、基地局を動作させる方法において、基地局の無線機により、無線フレームの所与のスロットのＰＤＣＣＨ領域のグループ共通ＰＤＣＣＨ内のスロットフォーマットインジケータ（ＳＦＩ）を送信することを備え、所与のスロットが無線フレームの１つ以上のスロットの集約セットの第１のスロットであることをＳＦＩが示し、１つ以上のスロットが時間的に連続しており、ＳＦＩが当該１つ以上のスロットの数を示し、１つ以上のスロットの集約セット内の各シンボルに対して、ＳＦＩがシンボルの送信方向を判定する、方法を含むことができる。
【０２２９】
他の組の実施形態は、ＵＥデバイスを動作させる方法において、ＵＥデバイスの無線機により、無線フレームの所与のスロットのＰＤＣＣＨ領域のグループ共通ＰＤＣＣＨからスロットフォーマットインジケータ（ＳＦＩ）を受信することを備え、所与のスロットが無線フレームの１つ以上のスロットのセットの第１のスロットであることをＳＦＩが示し、１つ以上のスロットが時間的に連続しており、ＳＦＩが、ダウンリンク送信領域、ギャップ領域及びアップリンク領域への１つ以上のスロットのセットの区画を定義するサイズパラメータを含み、当該領域間の境界が、シンボルの粒度で指定される、方法を含むことができる。
【０２３０】
他の組の実施形態は、基地局を動作させる方法において、基地局の無線機により、無線フレームの所与のスロットのＰＤＣＣＨ領域のグループ共通ＰＤＣＣＨ内のスロットフォーマットインジケータ（ＳＦＩ）を送信することを備え、所与のスロットが無線フレームの１つ以上のスロットのセットの第１のスロットであることをＳＦＩが示し、１つ以上のスロットが時間的に連続しており、ＳＦＩが、ダウンリンク送信領域、ギャップ領域及びアップリンク領域への１つ以上のスロットのセットの区画を定義するサイズパラメータを含み、当該領域間の境界が、シンボルの粒度で指定される、方法を含むことができる。
【０２３１】
いくつかの実施形態では、アップリンク領域は、ギャップ領域の後に発生し、ギャップ領域は、ダウンリンク領域の後に発生し、ダウンリンク領域は、ＰＣＤＤＨ領域の後に発生する。
【０２３２】
他の組の実施形態は、ＵＥデバイスを動作させる方法において、ＵＥデバイスの無線機により、無線フレームのスロットを受信することを備え、スロットのそれぞれが対応するＰＤＣＣＨ領域を含み、スロットのそれぞれについて、対応するＰＤＣＣＨ領域が、対応するグループ共通ＰＤＣＣＨと、１つ以上のＰＤＣＣＨの対応するセットとを含み、スロットのそれぞれについて、対応するグループ共通ＰＤＣＣＨが、スロットについて送信方向を示す対応するスロットフォーマットインジケータ（ＳＦＩ）を含み、スロットのうちの所与の１つについて、対応するＳＦＩが、所与のスロットがスロットのうちの２つ以上の集約セットの初期スロットであることを示し、２つ以上のスロットが時間的に連続しており、２つ以上のスロットのそれぞれについて、１つ以上のＰＤＣＣＨの対応するセットが、スロット内の対応する送信リソースを割り当てる対応するスケジューリング情報を含む、方法を含むことができる。
【０２３３】
他の組の実施形態は、基地局を動作させる方法において、基地局の無線機により、無線フレームのスロットを送信することを備え、スロットのそれぞれが対応するＰＤＣＣＨ領域を含み、スロットのそれぞれについて、対応するＰＤＣＣＨ領域が、対応するグループ共通ＰＤＣＣＨと、１つ以上のＰＤＣＣＨの対応するセットとを含み、スロットのそれぞれについて、対応するグループ共通ＰＤＣＣＨが、スロットについて送信方向を示す対応するスロットフォーマットインジケータ（ＳＦＩ）を含み、スロットのうちの所与の１つについて、対応するＳＦＩが、所与のスロットがスロットのうちの２つ以上の集約セットの初期スロットであることを示し、２つ以上のスロットが時間的に連続しており、２つ以上のスロットのそれぞれについて、１つ以上のＰＤＣＣＨの対応するセットが、スロット内の対応する送信リソースを割り当てる対応するスケジューリング情報を含む、方法を含むことができる。
【０２３４】
他の組の実施形態は、ＵＥデバイスを動作させる方法において、ＵＥデバイスの無線機により、無線フレーム内の複数のスロットを受信することを備え、スロットが時間的に連続しており、第１のスロットのみがＰＤＣＣＨ領域を含み、第１のスロットのＰＤＣＣＨ領域が、グループ共通ＰＤＣＣＨと、１つ以上のＰＤＣＣＨのセットとを含み、グループ共通ＰＤＣＣＨが複数のスロットの送信方向を示し且つ複数のスロットが集約セットを形成することを示すスロットフォーマットインジケータ（ＳＦＩ）を含み、１つ以上のＰＤＣＣＨのセットが、全てのスロットに送信リソースを割り当てるスケジューリング情報を含む、方法を含むことができる。
【０２３５】
他の組の実施形態は、基地局を動作させる方法において、ＵＥデバイスの無線機により、無線フレーム内の複数のスロットを送信することを備え、スロットが時間的に連続しており、第１のスロットのみがＰＤＣＣＨ領域を含み、第１のスロットのＰＤＣＣＨ領域が、グループ共通ＰＤＣＣＨと、１つ以上のＰＤＣＣＨのセットとを含み、グループ共通ＰＤＣＣＨが複数のスロットの送信方向を示し且つ複数のスロットが集約セットを形成することを示すスロットフォーマットインジケータ（ＳＦＩ）を含み、１つ以上のＰＤＣＣＨのセットが、全てのスロットに送信リソースを割り当てるスケジューリング情報を含む、方法を含むことができる。
【０２３６】
他の組の実施形態は、ＵＥデバイスを動作させる方法において、ＵＥデバイスの無線機により、無線フレームの第１のスロットから第１のスロットフォーマットインジケータ（ＳＦＩ）を受信することであって、第１のＳＦＩが第１のスロットのＰＤＣＣＨ領域のグループ共通ＰＤＣＣＨにおいて発生することと、第１のスロットフォーマットインジケータ（ＳＦＩ）が、第１のスロットのＰＤＣＣＨ領域内のＰＤＣＣＨ情報の存在を示し、第１のＳＦＩが、第１のスロットが無線フレームの集約された複数のスロット内の初期スロットであることを示すと判定することと、第１のスロットのＰＤＣＣＨ領域内のＰＤＣＣＨ情報をデコードして、ＵＥデバイスが集約された複数のスロット内でスケジューリングされていないことを判定することと、集約された複数の非初期スロットのＰＤＣＣＨ領域内の第２のＳＦＩが、非初期スロットがＰＤＣＣＨ情報を含まないことを示すと判定することと、非初期スロットのＰＤＣＣＨ領域からＰＤＣＣＨ情報をデコードしないようにして電力を節約することとを備える、方法を含むことができる。
【０２３７】
他の組の実施形態は、ＵＥデバイスを動作させる方法において、ＵＥデバイスの無線機により、無線フレームの第１のスロットから第１のスロットフォーマットインジケータ（ＳＦＩ）を受信することであって、第１のＳＦＩが第１のスロットのＰＤＣＣＨ領域のグループ共通ＰＤＣＣＨにおいて発生することと、第１のスロットフォーマットインジケータ（ＳＦＩ）が、第１のスロットのＰＤＣＣＨ領域内のＰＤＣＣＨ情報の存在を示し、第１のＳＦＩが、第１のスロットが無線フレームの集約された複数のスロット内の初期スロットであることを示すと判定することと、第１のスロットのＰＤＣＣＨ領域内のＰＤＣＣＨ情報をデコードして、ＵＥデバイスが集約された複数のスロット内でスケジューリングされていることを判定することと、集約された複数の第２のスロットのＰＤＣＣＨ領域内の第２のＳＦＩが、第２のスロットがＰＤＣＣＨ情報を含まないことを示すと判定することと、第２のスロットのＰＤＣＣＨ領域からのダウンリンクデータの少なくとも一部をデコードすることとを備える、方法を含むことができる。
【０２３８】
いくつかの実施形態では、各スロットは、長さが２又は７又は１４シンボルである。
【０２３９】
他の組の実施形態は、基地局を動作させる方法において、基地局の無線機により、無線フレームの第１のスロット内の第１のスロットフォーマットインジケータ（ＳＦＩ）を送信することを備え、第１のＳＦＩが、第１のスロットの少なくとも第１の部分の第１の送信方向を示し、第１の送信方向がアップリンク送信又はダウンリンク送信のいずれかであり、ＳＦＩが第１のスロットのＰＤＣＣＨ領域のグループ共通ＰＤＣＣＨに含まれ、ＰＤＣＣＨ領域が第１のスロットの最初のＮ個のシンボル持続時間にわたり、Ｎが１よりも大きいか等しい、方法を含むことができる。
【０２４０】
いくつかの実施形態では、Ｎは、１に等しい。
【０２４１】
いくつかの実施形態では、第１のＳＦＩは、ＰＤＣＣＨ領域が少なくとも１つのＰＤＣＣＨを含むことを示す。
【０２４２】
いくつかの実施形態では、第１のＳＦＩは、ＰＤＣＣＨ領域がＰＤＣＣＨを含まないことを示す。
【０２４３】
いくつかの実施形態では、第１のＳＦＩはまた、第１のスロットの第２の部分の第２の送信方向も示し、第２の送信方向は、第１の送信方向と反対の方向である。
【０２４４】
いくつかの実施形態では、第１のＳＦＩはまた、第２のスロットの少なくとも一部の第２の送信方向も示し、第２のスロットは、第１のスロットの直後に続き、第２の送信方向は、第１の送信方向とは反対の方向である。
【０２４５】
いくつかの実施形態では、第１の送信方向は、アップリンク送信であり、第１のＳＦＩは、アップリンク送信のスロット集約レベルを示す。
【０２４６】
いくつかの実施形態では、第１の送信方向は、ダウンリンク送信であり、ダウンリンク送信のスロット集約の範囲は、第１のスロットを含む無線フレームのＤＣＩで示される。
【０２４７】
いくつかの実施形態では、本方法は、無線機により、無線フレームの第２のスロットで第２のＳＦＩを送信することを更に含み、第２のスロットは、第１のスロットの直後に続き、第２のＳＦＩは、第２のスロットの少なくとも一部の第２の送信方向を示し、第２の送信方向は、アップリンク送信又はダウンリンク送信のいずれかであり、第２のＳＦＩは、第２のスロットのＰＤＣＣＨ領域のグループ共通ＰＤＣＣＨに含まれる。
【０２４８】
いくつかの実施形態では、第２のＳＦＩは、第２のスロットのＰＤＣＣＨ領域がＰＤＣＣＨを含まないことを示す。
【０２４９】
いくつかの実施形態では、本方法は、無線機により、無線フレームの第２のスロットで第２のＳＦＩを送信することを更に含み、第２のＳＦＩは、第２のスロットの少なくとも一部がブランクであることを示し、第２のＳＦＩは、第２のスロットのＰＤＣＣＨ領域のグループ共通ＰＤＣＣＨに含まれる。
【０２５０】
いくつかの実施形態では、本方法は、無線機により、無線フレームの第２のスロットで第２のＳＦＩを送信することを更に含み、第２のＳＦＩは、第２のスロットの少なくとも一部がサイドリンクに使用されることを示し、第２のＳＦＩは、第２のスロットのＰＤＣＣＨ領域のグループ共通ＰＤＣＣＨに含まれる。
【０２５１】
いくつかの実施形態では、スロットの長さは、２又は７又は１４シンボルである。
【０２５２】
他の組の実施形態は、ユーザ機器（ＵＥ）デバイスを動作させる方法において、ＵＥデバイスの無線機により、無線フレームの第１のスロットから第１のスロットフォーマットインジケータ（ＳＦＩ）を受信することを備え、第１のＳＦＩが、第１のスロットの少なくとも第１の部分の第１の送信方向を示し、第１の送信方向がアップリンク送信又はダウンリンク送信のいずれかであり、ＳＦＩが第１のスロットのＰＤＣＣＨ領域のグループ共通ＰＤＣＣＨに含まれ、ＰＤＣＣＨ領域が第１のスロットの最初のＮ個のシンボル持続時間にわたり、Ｎが１よりも大きいか等しい、方法を含むことができる。
【０２５３】
いくつかの実施形態では、本方法は、第１の送信方向に基づいて、第１のスロットの第１の部分でアップリンク送信又はダウンリンク受信を実行することを更に含む。
【０２５４】
いくつかの実施形態では、Ｎは、１に等しい。
【０２５５】
いくつかの実施形態では、本方法は、第１のスロットのＰＤＣＣＨ領域が少なくとも１つのＰＤＣＣＨを含むことをＳＦＩが示すと判定したことに応答して、ＰＤＣＣＨ領域からＰＤＣＣＨをデコーディングすることを更に含む。
【０２５６】
いくつかの実施形態では、本方法は、ＰＤＣＣＨ領域がＰＤＣＣＨを含まないことを第１のＳＦＩが示すと判定したことに応答して、ＰＤＣＣＨ領域からＰＤＣＣＨ情報をデコードする試みを省略することを更に含む。
【０２５７】
いくつかの実施形態では、第１のＳＦＩが第１のスロットの第２の部分の第２の送信方向を示すと判定したことに応答して、第１の送信方向と反対の方向である第２の送信方向に基づいて第１のスロットの第２の部分でダウンリンク受信又はアップリンク送信を実行する。
【０２５８】
いくつかの実施形態では、第１のＳＦＩはまた、第２のスロットの少なくとも一部の第２の送信方向も示し、第２のスロットは、第１のスロットの直後に続き、第２の送信方向は、第１の送信方向とは反対の方向である。
【０２５９】
いくつかの実施形態では、第１の送信方向は、アップリンク送信であり、第１のＳＦＩは、アップリンク送信のスロット集約レベルを示す。
【０２６０】
いくつかの実施形態では、第１の送信方向は、ダウンリンク送信であり、ダウンリンク送信のスロット集約の範囲は、第１のスロットを含む無線フレームのＤＣＩで示される。
【０２６１】
いくつかの実施形態では、本方法は、ＵＥデバイスの無線機により、無線フレームの第２のスロットで第２のＳＦＩを受信することを更に含み、第２のスロットは、第１のスロットの直後に続き、第２のＳＦＩは、第２のスロットの少なくとも一部の第２の送信方向を示し、第２の送信方向は、アップリンク送信又はダウンリンク送信のいずれかであり、第２のＳＦＩは、第２のスロットのＰＤＣＣＨ領域のグループ共通ＰＤＣＣＨに含まれる。
【０２６２】
いくつかの実施形態では、本方法は、第２のスロットのＰＤＣＣＨ領域がＰＤＣＣＨを含まないことを第２のＳＦＩが示すことに応答して、第２のスロットのＰＤＣＣＨ領域からＰＤＣＣＨ情報をデコードしようとすることによって電力を節約することを更に含む。
【０２６３】
いくつかの実施形態では、本方法は、ＵＥデバイスの無線機により、無線フレームの第２のスロットで第２のＳＦＩを受信することと、第２のスロットの少なくとも一部がブランクであることを第２のＳＦＩが示すことに応答して、第２のスロットの当該少なくとも一部におけるアップリンク送信又はダウンリンク受信を無効にすることであって、第２のＳＦＩは、第２のスロットのＰＤＣＣＨ領域のグループ共通ＰＤＣＣＨに含まれることとを更に含む。
【０２６４】
いくつかの実施形態では、本方法は、無線フレームの第２のスロットで第２のＳＦＩを無線機で受信することと、当該少なくとも一部がサイドリンクに使用されることを第２のＳＦＩが示すと判定することに応答して、第２のスロットの少なくとも一部でサイドリンク送信を実行することとを更に含み、第２のＳＦＩは、第２のスロットのＰＤＣＣＨ領域のグループ共通ＰＤＣＣＨに含まれる。
【０２６５】
いくつかの実施形態では、スロットの長さは、２又は７又は１４シンボルである。
【０２６６】
他の組の実施形態は、基地局を動作させる方法において、基地局の無線機により、無線フレームの所与のスロット内の第１のスロットフォーマットインジケータ（ＳＦＩ）を送信することを備え、第１のＳＦＩが所与のスロットの少なくとも第１の部分がアップリンク送信に使用されることを示し、第１のＳＦＩが所与のスロットのグループ共通ＰＤＣＣＨに含まれ、グループ共通ＰＤＣＣＨが所与のスロットの最初のＮシンボル持続時間内に発生し、Ｎが１よりも大きいか等しい整数である、方法を含むことができる。
【０２６７】
いくつかの実施形態では、所与のスロットは、ギャップ領域を含み、当該第１の部分は、当該ギャップ領域の直後に続き、当該ギャップ領域は、当該最初のＮ個のシンボル持続時間の直後に続く。
【０２６８】
いくつかの実施形態では、第１のＳＦＩはまた、所与のスロットの直後に続く１つ以上のスロットがアップリンク送信のみに使用されることも示し、第１のＳＦＩはまた、当該１つ以上のスロットの数も示す。
【０２６９】
いくつかの実施形態では、第１のＳＦＩはまた、少なくとも第２のスロットが所与のスロットの直後に続き、第２のスロットが、アップリンク送信のみに使用され、第１の部分の時間的終了と第２のスロットの時間的開始との間に時間的ギャップが生じないことを示す。
【０２７０】
いくつかの実施形態では、所与のスロットは、無線フレームのダウンリンク制御情報（ＤＣＩ）によりダウンリンクスロットとして以前に指定されており、当該第１のＳＦＩは、当該以前の指定にオーバーライドする。
【０２７１】
いくつかの実施形態では、第１のＳＦＩはまた、所与のスロットが１つ以上のＰＤＣＣＨのセットを含むことも示し、１つ以上のＰＤＣＣＨのセットは、所与のスロットの最初のＮ個のシンボル持続時間で発生し、１つ以上のＰＤＣＣＨのセットは、第１の部分における少なくとも１つのＵＥデバイス時間−周波数リソースに割り当てるスケジューリング情報を含む。
【０２７２】
他の組の実施形態は、基地局を動作させる方法において、基地局の無線機により、無線フレームの所与のスロット内の第１のスロットフォーマットインジケータ（ＳＦＩ）を送信することを備え、第１のＳＦＩが所与のスロットの少なくとも第１の部分がダウンリンク送信に使用されることを示し、第１のＳＦＩが所与のスロットのグループ共通ＰＤＣＣＨに含まれ、グループ共通ＰＤＣＣＨが所与のスロットの最初のＮシンボル持続時間内に発生し、Ｎが１よりも大きいか等しい整数である、方法を含むことができる。
【０２７３】
いくつかの実施形態では、第１の部分は、所与のスロットの最初のＮ個のシンボル持続時間の直後に開始する。
【０２７４】
いくつかの実施形態では、第１の部分は、所与のスロットの最初のＮ個のシンボル持続時間の後に生じるリソース要素と、最初のＮ個のシンボル持続時間内の他のリソース要素とを含む。
【０２７５】
いくつかの実施形態では、所与のスロットはまた、ギャップ領域及び第２の部分を含み、第２の部分は、アップリンク送信のみに使用され、第２の部分は、ギャップ領域の直後に開始し、ギャップ領域は、第１の部分の直後に開始する。
【０２７６】
いくつかの実施形態では、第２の部分は、１つ又は２つのシンボル持続時間に時間的にわたる。
【０２７７】
いくつかの実施形態では、第２の部分は、当該ダウンリンク送信の少なくとも一部に対する肯定応答又は否定応答（ＡＣＫ／ＮＡＣＫ）を含む。
【０２７８】
いくつかの実施形態では、第１のＳＦＩはまた、１つ以上のＰＤＣＣＨのセットが最初のＮ個のシンボル持続時間内に含まれることも示す。
【０２７９】
いくつかの実施形態では、１つ以上のＰＤＣＣＨのセットは、１つ以上のＵＥへのダウンリンク送信のために第１の部分の時間−周波数リソースを割り当てるスケジューリング情報を含む。
【０２８０】
いくつかの実施形態では、第１の部分は、少なくとも所与のスロットから最初のＮ個のシンボル持続時間を差し引いたものをカバーする。
【０２８１】
いくつかの実施形態では、所与のスロットは、無線フレームのダウンリンク制御情報（ＤＣＩ）によりアップリンクスロットとして以前に指定されており、当該第１のＳＦＩは、当該以前の指定にオーバーライドする。
【０２８２】
他の組の実施形態は、基地局を動作させる方法において、基地局の無線機により、時間的に連続する複数のスロットを送信することを備え、スロットのそれぞれが、スロットの最初のＮ個のシンボル持続時間内に対応するグループ共通ＰＤＣＣＨを含み、Ｎが１よりも大きいか等しく、各スロットについて、対応するグループ共通ＰＤＣＣＨが、対応するスロットフォーマットインジケータ（ＳＦＩ）を含み、各スロットについて、対応するＳＦＩが、スロットが１つ以上のＰＤＣＣＨの対応するセットを含み、スロットが対応するダウンリンクデータ部分を含むことを示し、スロットの初期の１つの１つ以上のＰＤＣＣＨのセットが、少なくとも初期スロットのダウンリンクデータ部分及び第２のスロットのダウンリンクデータ部分にわたって集約された時間−周波数リソースの第１のセットを割り当てる第１のスケジューリング情報を含み、第２のスロット内の１つ以上のＰＤＣＣＨのセットが、第２のスロットのダウンリンクデータ部分の時間−周波数リソースのみを割り当てる第２のスケジューリング情報を含む、方法を含むことができる。
【０２８３】
いくつかの実施形態では、スロットのそれぞれについて、対応するダウンリンクデータ部分は、スロットの最初のＮ個のシンボル持続時間の直後に開始する。
【０２８４】
いくつかの実施形態では、最後のスロットを除く全てのスロットは、ダウンリンク送信専用であり、最後のスロットは、その時間端にのみアップリンク送信部分を含む。
【０２８５】
いくつかの実施形態では、時間−周波数リソースの当該第１のセットの集約レベルは、無線フレームのダウンリンク制御チャネルによって示される。
【０２８６】
いくつかの実施形態では、時間−周波数リソースの当該第１のセットの集約レベルは、グループ共通ＰＤＣＣＨ内の集約レベルフィールドによって示される。
【０２８７】
いくつかの実施形態では、最後のスロットを除くスロットのそれぞれについて、対応するダウンリンクデータ部分は、少なくともスロットから最初のＮ個のシンボル持続時間を差し引いたものをカバーする。
【０２８８】
いくつかの実施形態では、最後のスロットを除くスロットのそれぞれについて、対応するダウンリンクデータ部分は、スロットから最初のＮ個のシンボル持続時間を差し引いたものに時間的にわたる。
【０２８９】
いくつかの実施形態では、最後のスロットはまた、ギャップ領域及びアップリンクデータ部分も含み、最後のスロットでは、アップリンクデータ部分は、ギャップ領域の直後に開始し、ギャップ領域は、ダウンリンクデータ部分の直後に開始する。
【０２９０】
いくつかの実施形態では、アップリンクデータ部分は、少なくともダウンリンク送信に対する肯定応答を含む。
【０２９１】
他の組の実施形態は、基地局を動作させる方法において、基地局の無線機により、時間的に連続する複数のスロットを送信することを備え、スロットのそれぞれが、スロットの最初のＮ個のシンボル持続時間内に対応するグループ共通ＰＤＣＣＨを含み、Ｎが１よりも大きいか等しく、各スロットについて、対応するグループ共通ＰＤＣＣＨが、対応するスロットフォーマットインジケータ（ＳＦＩ）を含み、各スロットについて、対応するＳＦＩが、スロットが対応するダウンリンクデータ部分を含むことを示し、スロットの初期の１つについて、対応するＳＦＩが、初期スロットが１つ以上のＰＤＣＣＨの対応するセットを含むことを示し、初期スロットの１つ以上のＰＤＣＣＨの対応するセットが、全てのスロットの全てのダウンリンクデータ部分にわたって時間−周波数リソースの集約を割り当てる第１のスケジューリング情報を含み、初期スロットの後のスロットのそれぞれについて、対応するＳＦＩが、スロットがＰＤＣＣＨを含まないことを示す、方法を含むことができる。
【０２９２】
いくつかの実施形態では、最後のスロットを除く全てのスロットは、ダウンリンク送信専用であり、最後のスロットは、その時間端にのみアップリンク送信部分を含む。
【０２９３】
いくつかの実施形態では、第２のスロットについて、対応するダウンリンクデータ部分は、第２のスロットから第２のスロットの最初のＮ個のシンボル持続時間に対応するＮ個のＯＦＤＭシンボルを差し引いたものに等しい領域を少なくともカバーする。
【０２９４】
いくつかの実施形態では、スロットのそれぞれについて、対応するダウンリンクデータ部分は、スロットの最初のＮ個のシンボル持続時間の直後に開始する。
【０２９５】
いくつかの実施形態では、最後のスロットを除くスロットのそれぞれについて、対応するダウンリンクデータ部分は、スロットから最初のＮ個のシンボル持続時間を差し引いたものに時間的にわたる。
【０２９６】
いくつかの実施形態では、最後のスロットでは、対応するダウンリンクデータ部分の直後にギャップ領域が続き、その直後にアップリンクデータ部分が続き、アップリンクデータ部分は、少なくともダウンリンク送信に対する肯定応答を含む。
【０２９７】
いくつかの実施形態では、時間−周波数リソースの当該集約の集約レベルは、無線フレームのダウンリンク制御チャネルによって示される。
【０２９８】
いくつかの実施形態では、時間−周波数リソースの当該集約の集約レベルは、送信方向のみをエンコードするＳＦＩとは別々にエンコードされる集約レベルフィールドによって示される。
【０２９９】
他の組の実施形態は、基地局を動作させる方法において、基地局の無線機により、時間的に連続する複数のスロットを送信することを備え、スロットの時間的に初期の１つのみが、初期スロットの最初のＮ個のシンボル持続時間に時間的にわたるＰＤＣＣＨ領域を含み、Ｎが１よりも大きいか等しく、ＰＤＣＣＨ領域がグループ共通ＰＤＣＣＨを含み、初期スロットのグループ共通ＰＤＣＣＨが、スロットフォーマットインジケータ（ＳＦＩ）を含み、ＳＦＩが、スロットのそれぞれが対応するダウンリンクデータ部分、及び当該複数のスロット内のスロットの数を含むことを示し、最後のスロットのみがアップリンクデータ部分を含み、アップリンクデータ部分が最後のスロットの時間的終了で発生し、最後のスロットのダウンリンクデータ部分が最後のスロットの時間的開始で開始する、方法を含むことができる。
【０３００】
いくつかの実施形態では、初期スロットにおいて、対応するダウンリンクデータ部分は、ＰＤＣＣＨ領域の直後に開始し、初期スロットからＰＤＣＣＨ領域を差し引いたものにわたる。
【０３０１】
いくつかの実施形態では、初期スロットの後のスロットのそれぞれについて、スロットは、対応するダウンリンクデータ部分の時間−周波数リソースをユーザ機器にスケジューリングするいかなる情報も含まない。
【０３０２】
いくつかの実施形態では、初期スロットのＳＦＩは、初期スロットのＰＤＣＣＨ領域が１つ以上のＰＤＣＣＨのセットを含むことを示し、１つ以上のＰＤＣＣＨのセットは、時間−周波数リソースの集約セットを割り当てるスケジューリング情報を含み、集約セットは、全てのスロットのダウンリンクデータ部分のリソース部分を含む。
【０３０３】
いくつかの実施形態では、ＳＦＩは、最後のスロットのアップリンクデータ部分によって占有されるシンボル持続時間の数を示す。
【０３０４】
いくつかの実施形態では、最後のスロットにおいて、ダウンリンクデータ部分とアップリンクデータ部分との間にギャップ領域が生じる。
【０３０５】
いくつかの実施形態では、当該複数のスロットに少なくとも３つのスロットがあり、初期スロット及び最後のスロットを除く当該複数のスロットのそれぞれにおいて、対応するダウンリンクデータ部分は、スロットを完全にカバーする。
【０３０６】
いくつかの実施形態では、ＳＦＩは、送信方向及びスロット集約に分割されることができ、別々にエンコードされることができる。
【０３０７】
他の組の実施形態は、基地局を動作させる方法において、基地局の無線機により、第１のスロットのグループ共通ＰＤＣＣＨ領域内のスロットフォーマットインジケータ（ＳＦＩ）を送信することを備え、グループ共通ＰＤＣＣＨ領域が、第１のスロットの最初のＮ個のシンボル持続時間内に発生し、Ｎが１よりも大きいか等しく、ＳＦＩが、ＵＥデバイスが第１のスロットからグループ共通ＰＤＣＣＨ領域を差し引いたものに等しい第１のスロットの領域にわたって送信又は受信しないことを示す、方法を含むことができる。
【０３０８】
いくつかの実施形態では、ＳＦＩは、ＵＥデバイスが第１のスロットの直後から開始する１つ以上の連続するスロット中に送信又は受信しないことを示し、ＳＦＩはまた、当該１つ以上のスロットの数も示す。
【０３０９】
いくつかの実施形態では、ＰＤＣＣＨ領域のグループ共通ＰＤＣＣＨは、設計されたＵＥのグループ内の各ＵＥによってデコード可能であり、ＳＦＩは、ＵＥ間のサイドリンク送信が当該第１のスロット中に有効とされることを示す。
【０３１０】
他の組の実施形態は、第１のユーザ機器（ＵＥ）デバイスを動作させる方法において、第１のＵＥデバイスの無線機により、第１のスロットのグループ共通ＰＤＣＣＨ領域からスロットフォーマットインジケータ（ＳＦＩ）を受信することを備え、グループ共通ＰＤＣＣＨ領域が、第１のスロットの最初のＮ個のシンボル持続時間内に発生し、Ｎが１よりも大きいか等しく、ＳＦＩが、第１のスロットからグループ共通ＰＤＣＣＨ領域を差し引いたものに等しい第１のスロットの領域が、ダウンリンク送信のために基地局によって使用されず、基地局へのアップリンク送信のために第１のＵＥデバイスによって使用されることがないことを示す、方法を含むことができる。
【０３１１】
いくつかの実施形態では、ＳＦＩは、第１のスロットの直後に続く１つ以上のスロットがダウンリンク送信のために基地局によって使用されず、基地局へのアップリンク送信のために第１のＵＥデバイスによって使用されることがないことを示し、ＳＦＩはまた、当該１つ以上のスロットの数も示す。
【０３１２】
いくつかの実施形態では、ＳＦＩは、第１のスロット中に第１のＵＥデバイスと他のＵＥデバイスとの間のサイドリンク送信が有効にされることを示す。
【０３１３】
他の組の実施形態は、基地局を動作させる方法において、基地局の無線機により、第１のスロット及び第２のスロットを送信することを備え、第２のスロットが第１のスロットの直後に送信され、第１のスロットがグループ共通ＰＤＣＣＨを含み、グループ共通ＰＤＣＣＨが、第１のスロットの最初のＮ個のシンボル持続時間内に発生し、Ｎが１よりも大きいか等しく、グループ共通ＰＤＣＣＨが、第１のスロットがダウンリンクデータ部分を含み、第２のスロットがアップリンク送信に完全に使用されることを示す、方法を含むことができる。
【０３１４】
いくつかの実施形態では、第１のスロットのダウンリンクデータ部分は、第１のスロットの最初のＮ個のシンボル持続時間の直後に開始する。
【０３１５】
いくつかの実施形態では、第１のスロットはまた、その時間的終了においてギャップ領域を含む。
【０３１６】
いくつかの実施形態では、ＳＦＩはまた、第１のスロットがＰＤＣＣＨを含まないことも示す。
【０３１７】
いくつかの実施形態では、ＳＦＩはまた、第１のスロットが時間−周波数リソースをＵＥデバイスに割り当てるスケジューリング情報を含まないことも示す。
【０３１８】
いくつかの実施形態では、ＳＦＩはまた、第１のスロットが１つ以上のＰＤＣＣＨのセットを含むことも示し、１つ以上のＰＤＣＣＨのセットは、ダウンリンクデータ部分のダウンリンク送信リソース及び第２のスロットのアップリンク送信リソースを割り当てるスケジューリング情報を含む。
【０３１９】
他の組の実施形態は、基地局を動作させる方法において、基地局の無線機により、複数のスロットの第１のスロットにおいてスロットフォーマットインジケータを送信することを備え、当該複数のスロットが時間的に連続しており、スロットフォーマットインジケータが第１のスロットのグループ共通ＰＤＣＣＨ内で発生し、グループ共通ＰＤＣＣＨが第１のスロットの最初のＮ個のシンボル持続時間内に発生し、Ｎが１よりも大きいか等しく、スロットフォーマットインジケータが、スロットのユニオンから第１のスロットの少なくとも最初のＮ個のシンボル持続時間を差し引いたものを、ダウンリンクデータ領域、ギャップ領域及びアップリンクデータ領域に区画するためのサイズパラメータを含み、ダウンリンクデータ領域が、第１のスロットの最初のＮ個のシンボル持続時間後に開始し、ギャップ領域がダウンリンクデータ領域の直後に開始し、アップリンクデータ領域がギャップ領域の直後に開始し、サイズパラメータが、ダウンリンクデータ領域の初期部分のサイズを定義するスロットの第１の数Ｍと、ダウンリンクデータ領域の終端部分であって、当該複数の（Ｍ＋１）番目のスロットで発生する終端部分のサイズを定義するシンボル持続時間の第２の数と、当該複数の（Ｍ＋１）番目のスロット内のギャップ領域のサイズを定義するシンボル持続時間の第３の数と、当該複数の（Ｍ＋１）番目のスロット内のアップリンクデータ領域の初期部分のサイズを定義するシンボル持続時間の第４の数と、アップリンクデータ領域の終端部分のサイズを定義するスロットの第５の数とを含む、方法を含むことができる。
【０３２０】
他の組の実施形態は、基地局を動作させる方法において、基地局の無線機により、複数のスロットの第１のスロットにおいてスロットフォーマットインジケータを送信することを備え、当該複数のスロットが時間的に連続しており、スロットフォーマットインジケータが第１のスロットのグループ共通ＰＤＣＣＨ内で発生し、グループ共通ＰＤＣＣＨが第１のスロットの最初のＮ個のシンボル持続時間内に発生し、Ｎが１よりも大きいか等しく、スロットフォーマットインジケータが、スロットのユニオンから第１のスロットの少なくとも最初のＮ個のシンボル持続時間を差し引いたものを、ダウンリンクデータ領域、ギャップ領域、及びアップリンクデータ領域に区画するためのサイズパラメータを含み、ダウンリンクデータ領域が、第１のスロットの最初のＮ個のシンボル持続時間後に開始し、ギャップ領域がダウンリンクデータ領域の直後に開始し、アップリンクデータ領域がギャップ領域の直後に開始し、サイズパラメータが、ダウンリンクデータ領域の初期部分のサイズを定義するスロットの第１の数Ｍを含み、サイズパラメータが、ダウンリンクデータ領域の終端部分であって、当該複数の（Ｍ＋１）番目のスロットで発生する終端部分のサイズを定義するシンボル持続時間の第２の数、当該複数の（Ｍ＋１）番目のスロット内のギャップ領域のサイズを定義するシンボル持続時間の第３の数、当該複数の（Ｍ＋１）番目のスロット内のアップリンクデータ領域の初期部分のサイズを定義するシンボル持続時間の第４の数の３つのパラメータのうちの２つを含み、サイズパラメータがまた、アップリンクデータ領域の終端部分のサイズを定義するスロットの第５の数も含む、方法を含むことができる。
【０３２１】
他の組の実施形態は、基地局を動作させる方法において、基地局の無線機により、時間的に連続する複数のスロットを送信することを備え、スロットのそれぞれが、スロットの最初のＮ個のシンボル持続時間内に対応するグループ共通ＰＤＣＣＨを含み、Ｎが１よりも大きいか等しく、各スロットについて、対応するグループ共通ＰＤＣＣＨが、対応するスロットフォーマットインジケータ（ＳＦＩ）を含み、各スロットについて、対応するＳＦＩが、スロットが１つ以上のＰＤＣＣＨの対応するセットを含み、スロットが対応するダウンリンクデータ部分を含むことを示し、スロットの初期の１つにおける１つ以上のＰＤＣＣＨのセットが、初期スロットのダウンリンクデータ部分を含むダウンリンクデータ部分のうちの２つ以上にわたって集約される時間−周波数リソースの第１のセットを第１のＵＥデバイスに割り当てる第１のスケジューリング情報を含み、初期スロットにおける１つ以上のＰＤＣＣＨのセットが、初期スロットのダウンリンクデータ部分のみで時間−周波数リソースを第２のＵＥデバイスに割り当てる第２のスケジューリング情報を含む、方法を含むことができる。
【０３２２】
いくつかの実施形態では、スロットの第２のものにおける１つ以上のＰＤＣＣＨのセットが、第２のスロットのダウンリンクデータ部分のみで時間−周波数リソースを第３のＵＥデバイスに割り当てる第３のスケジューリング情報を含む、方法を含むことができる。
【０３２３】
いくつかの実施形態では、２つ以上のダウンリンクデータ部分においてスケジューリングされた１つ以上のＵＥからの肯定応答は、最後のスロットの最後の部分に含まれる。
【０３２４】
他の組の実施形態は、基地局を動作させる方法において、基地局の無線機により、時間的に連続する複数のスロットを送信することを備え、スロットのそれぞれが、スロットの最初のＮ個のシンボル持続時間内に対応するグループ共通ＰＤＣＣＨを含み、Ｎが１よりも大きいか等しく、各スロットについて、対応するグループ共通ＰＤＣＣＨが、対応するスロットフォーマットインジケータ（ＳＦＩ）を含み、各スロットについて、対応するＳＦＩが、スロットが１つ以上のＰＤＣＣＨの対応するセットを含み、スロットが対応するダウンリンクデータ部分を含むことを示し、スロットの初期の１つにおける１つ以上のＰＤＣＣＨのセットが、時間−周波数リソースの集約セットの第１の部分を第１のＵＥデバイスに割り当てる第１のスケジューリング情報を含み、第１の部分が初期スロットのダウンリンクデータ部分内で発生し、第２のスロットにおける１つ以上のＰＤＣＣＨのセットが、時間−周波数リソースの集約セットの第２の部分を第１のＵＥデバイスに割り当てる第２のスケジューリング情報を含み、第２の部分が第２のスロットのダウンリンクデータ部分内で発生し、第２のスロットが初期スロットの直後に続き、初期スロットにおける１つ以上のＰＤＣＣＨのセットがまた、初期スロットのダウンリンクデータ部分における時間−周波数リソースのみを第２のＵＥデバイスに割り当てる第３のスケジューリング情報も含む、方法を含むことができる。
【０３２５】
いくつかの実施形態では、第２のスロットにおける１つ以上のＰＤＣＣＨのセットは、第２のスロットのダウンリンクデータ部分における時間−周波数リソースのみを第３のＵＥデバイスに割り当てる第４のスケジューリング情報を含む。
【０３２６】
他の組の実施形態は、基地局を動作させる方法において、基地局の無線機により、時間的に連続する複数のスロットを送信することを備え、スロットのそれぞれが、スロットの最初のＮ個のシンボル持続時間にわたる対応するＰＤＣＣＨ領域を含み、Ｎが１よりも大きいか等しく、スロットのそれぞれについて、対応するＰＤＣＣＨ領域が、対応するグループ共通ＰＤＣＣＨを含み、各スロットについて、対応するグループ共通ＰＤＣＣＨが、対応するスロットフォーマットインジケータ（ＳＦＩ）を含み、各スロットについて、対応するＳＦＩが、スロットが対応するダウンリンクデータ部分を含むことを示し、スロットの初期の１つについて、対応するＳＦＩが、対応するＰＤＣＣＨ領域が１つ以上のＰＤＣＣＨの第１のセットを含むことを示し、スロットの第２の１つについて、対応するＳＦＩが、対応するＰＤＣＣＨ領域から対応するグループ共通ＰＤＣＣＨを差し引いたものに等しいサブ領域がＰＤＣＣＨ情報を含まないことを示し、第２のスロットのダウンリンクデータ部分が、第２のスロットのＰＤＣＣＨ領域のサブ領域内に存在するリソース要素の第１のサブセットと、第２のスロットのＰＤＣＣＨ領域の後に生じるリソース要素の第２のサブセットとを含む、方法を含むことができる。
【０３２７】
いくつかの実施形態では、初期スロットのダウンリンクデータ部分は、初期スロットのＰＤＣＣＨ領域の後に開始する。
【０３２８】
いくつかの実施形態では、各スロットは、時間的に２個又は７個又は１４個シンボルにわたる。
【０３２９】
他の組の実施形態は、基地局（ＢＳ）を動作させる方法において、ＢＳにより、第１のユーザ機器デバイス（ＵＥ）との通信を確立することと、１つ以上のスロットに含まれる複数のシンボルのそれぞれについての送信方向を判定することと、スロットフォーマットインジケータ（ＳＦＩ）をＵＥに送信することであって、ＳＦＩが１つ以上のスロットに含まれる複数のシンボルのそれぞれについての送信方向を示すことと、判定された送信方向に従って１つ以上のスロット中に通信を実行することとを備える、方法を含むことができる。
【０３３０】
いくつかの実施形態では、ＳＦＩは、第１のスロットの１４個のシンボルについての送信方向を指定する。
【０３３１】
いくつかの実施形態では、本方法は、複数の送信方向のセットを指定するテーブルをＵＥに送信することを更に含み、送信方向の各セットが、少なくとも１つのスロットの送信方向を指定し、ＳＦＩが送信方向の少なくとも第１のセットを指定する。
【０３３２】
いくつかの実施形態では、複数のシンボルのそれぞれについての送信方向を判定することは、複数のスロットに対して実行され、ＳＦＩは、複数のスロットの複数のシンボルのそれぞれについての送信方向を示す。
【０３３３】
いくつかの実施形態では、ＳＦＩを送信することは、ｎスロットごとに定期的に実行され、ｎは少なくとも２である。
【０３３４】
いくつかの実施形態では、ＳＦＩは、ＳＦＩによって示される１つ以上のスロットの前に複数のシンボルを送信される。
【０３３５】
いくつかの実施形態では、各シンボルの送信方向は、ダウンリンク、アップリンク、又は未知を含む。
【０３３６】
いくつかの実施形態では、ＳＦＩは、第１のＵＥに固有である。
【０３３７】
いくつかの実施形態では、ＳＦＩは、複数のＵＥに適用される。
【０３３８】
いくつかの実施形態では、ＳＦＩは、ＵＥの種類に適用される。
【０３３９】
他の組の実施形態は、ユーザ機器デバイス（ＵＥ）を動作させる方法において、ＵＥにより、基地局（ＢＳ）との通信を確立することと、ＢＳからスロットフォーマットインジケータ（ＳＦＩ）を受信することであって、ＳＦＩが１つ以上のスロットに含まれる複数のシンボルのそれぞれについての送信方向を示すことと、判定された送信方向に従って１つ以上のスロット中にＢＳとの通信を実行することとを備える、方法を含むことができる。
【０３４０】
いくつかの実施形態では、ＳＦＩは、第１のスロットの１４個のシンボルについての送信方向を指定する。
【０３４１】
いくつかの実施形態では、本方法は、送信方向の複数のセットを指定するテーブルをＢＳから受信することを更に含み、送信方向の各セットは、少なくとも１つのスロットの送信方向を指定し、ＳＦＩが送信方向の少なくとも第１のセットを指定する。
【０３４２】
いくつかの実施形態では、ＳＦＩは、複数のスロットの複数のシンボルのそれぞれについての送信方向を示す。
【０３４３】
いくつかの実施形態では、ＳＦＩを受信することは、ｎスロットごとに定期的に実行され、ｎは少なくとも２である。
【０３４４】
いくつかの実施形態では、ＳＦＩは、ＳＦＩによって示される１つ以上のスロットの前に複数のシンボルを送信される。
【０３４５】
他の組の実施形態は、基地局において、アンテナと、アンテナに動作可能に結合された無線機と、無線機に動作可能に結合された処理要素とを備え、アンテナ、無線機、及び処理要素が、先行する段落のいずれかによる方法を実装するように構成されている、基地局を含むことができる。
【０３４６】
他の組の実施形態は、先行する段落のいずれかによる方法を実装するように構成された処理要素を備える装置を含むことができる。
【０３４７】
他の組の実施形態は、先行する段落のいずれかの方法のいずれかを実行するための命令を含むコンピュータプログラムを含むことができる。
【０３４８】
他の組の実施形態は、先行する段落のいずれかの方法要素のいずれかを実行するための手段を備える装置を含むことができる。
【０３４９】
他の組の実施形態は、詳細な説明において本明細書に実質的に記載された任意のアクション又はアクションの組み合わせを含む方法を含むことができる。
【０３５０】
他の組の実施形態は、本明細書に含まれる図のそれぞれ若しくは任意の組み合わせを参照して、又は詳細な説明の段落のそれぞれ若しくは任意の組み合わせを参照して、本明細書に実質的に記載された方法を含むことができる。
【０３５１】
他の組の実施形態は、詳細な説明において本明細書に実質的に記載された任意のアクション又はアクションの組み合わせを実行するように構成された無線機器を含むことができる。
【０３５２】
他の組の実施形態は、無線機器に含まれるものとして詳細な説明において本明細書に記載された任意の構成要素又は構成要素の組み合わせを含む無線機器を含むことができる。
【０３５３】
他の組の実施形態は、詳細な説明において本明細書に実質的に記載された任意のアクション又はアクションの組み合わせを実行するように構成された無線機器を含むことができる。
【０３５４】
他の組の実施形態は、無線機器に含まれるものとして詳細な説明において本明細書に記載された任意の構成要素又は構成要素の組み合わせを含む無線機器を含むことができる。
【０３５５】
他の組の実施形態は、実行されると、詳細な説明において本明細書に実質的に記載された任意のアクション又はアクションの組み合わせを実行させる命令を記憶する不揮発性コンピュータ可読媒体を含むことができる。
【０３５６】
他の組の実施形態は、詳細な説明において本明細書に実質的に記載された任意のアクション又はアクションの組み合わせを実行するように構成された集積回路を含むことができる。
【０３５７】
実施形態の更なる例示的なセットは、デバイスに、前述の実施例の任意の又は全ての部分を実装させるように構成されている処理要素を備える、装置を含むことができる。
【０３５８】
他の例示的な一組の実施形態は、無線機器を含むことができ、無線機器が、アンテナと、アンテナに結合された無線機と、無線機に動作可能に結合された処理要素と、を備えるデバイスを含むことができ、このデバイスは、前述の実施例の任意の又は全ての部分を実装するように構成されている。
【０３５９】
実施形態の更なる例示的なセットは、デバイスで実行された際に、デバイスに、前述の実施例のいずれかの任意の又は全ての部分を実装させるプログラム命令を含む、非一時的コンピュータアクセス可能記憶媒体を含むことができる。
【０３６０】
実施形態の更なる例示的なセットは、前述の実施例のいずれかの任意の又は全ての部分を実行する命令を含む、コンピュータプログラムを含むことができる。
【０３６１】
実施形態のまた別の例示的なセットは、前述の実施例のうちのいずれかの任意の又は全ての要素を実行する手段を備える、装置を含むことができる。
【０３６２】
本開示の実施形態は、様々な形態のうちのいずれかで実現することができる。例えば、いくつかの実施形態は、コンピュータにより実施される方法、コンピュータ可読記憶媒体、又はコンピュータシステムとして実現することができる。他の実施形態は、ＡＳＩＣなどのカスタム設計されたハードウェアデバイスの１つ以上を使用して、実現することができる。更なる他の実施形態は、ＦＰＧＡなどの１つ以上のプログラム可能なハードウェア要素を使用して実現されてもよい。
【０３６３】
一部の実施形態では、非一時的コンピュータ可読記憶媒体は、プログラム命令及び／又はデータを記憶するように構成することができ、プログラム命令は、コンピュータシステムによって実行される場合には、コンピュータシステムに、方法、例えば、本明細書で説明された方法の実施形態のうちのいずれか若しくは本明細書で説明された方法の実施形態の任意の組み合わせ、又は本明細書で説明された方法の実施形態のうちのいずれかの任意のサブセット若しくはこのようなサブセットの任意の組み合わせを実行させる。
【０３６４】
いくつかの実施形態では、デバイス（例えば、ＵＥ１０６）は、プロセッサ（又はプロセッサのセット）及び記憶媒体を含むように構成してもよい。ここで、記憶媒体は、プログラム命令を記憶し、プロセッサは、記憶媒体からプログラム命令を読み込み、実行するように構成されている。プログラム命令は、本明細書に記載された種々の方法の実施形態の任意のもの（又は、本明細書に記載された方法の実施形態の任意の組み合せ、又は、本明細書に記載された方法の実施形態のいずれかの任意のサブセット、又は、このようなサブセットの任意の組み合せ）を実施するために実行可能である。デバイスは、様々な形態のいずれかにおいて実現されてもよい。
【０３６５】
上記実施形態がかなり詳細に説明されてきたが、上記開示が完全に認識されると、多数の変形形態及び修正形態が当業者にとって明らかになる。以下の特許請求の範囲は、全てのそのような変形形態及び修正形態を包含すると解釈されることを意図している。
【図１】
0006928109.tif 000002
【図２】
0006928109.tif 000003
【図３】
0006928109.tif 000004
【図４】
0006928109.tif 000005
【図５】
0006928109.tif 000006
【図６】
0006928109.tif 000007
【図７】
0006928109.tif 000008
【図８】
0006928109.tif 000009
【図９】
0006928109.tif 000010
【図１０】
0006928109.tif 000011
【図１１】
0006928109.tif 000012
【図１２】
0006928109.tif 000013
【図１３】
0006928109.tif 000014
【図１４Ａ】
0006928109.tif 000015
【図１４Ｂ】
0006928109.tif 000016
【図１５】
0006928109.tif 000017
【図１６】
0006928109.tif 000018
【図１７】
0006928109.tif 000019
【図１８】
0006928109.tif 000020
【図１９】
0006928109.tif 000021
【図２０】
0006928109.tif 000022
【図２１】
0006928109.tif 000023
【図２２】
0006928109.tif 000024
【図２３】
0006928109.tif 000025
【図２４】
0006928109.tif 000026
【図２５】
0006928109.tif 000027
【図２６】
0006928109.tif 000028
【図２７】
0006928109.tif 000029
【図２８】
0006928109.tif 000030
【図２９】
0006928109.tif 000031
【図３０】
0006928109.tif 000032
【図３１】
0006928109.tif 000033
【図３２Ａ】
0006928109.tif 000034
【図３２Ｂ】
0006928109.tif 000035
【図３２Ｃ】
0006928109.tif 000036
【図３２Ｄ】
0006928109.tif 000037
【図３２Ｅ】
0006928109.tif 000038
【図３２Ｆ】
0006928109.tif 000039
【図３２Ｇ】
0006928109.tif 000040
【図３２Ｈ】
0006928109.tif 000041
【図３２Ｉ】
0006928109.tif 000042
【図３２Ｊ】
0006928109.tif 000043
【図３２Ｋ】
0006928109.tif 000044
【図３２Ｌ】
0006928109.tif 000045
【図３２Ｍ】
0006928109.tif 000046
【図３２Ｎ】
0006928109.tif 000047
【図３３Ａ】
0006928109.tif 000048
【図３３Ｂ】
0006928109.tif 000049
【図３３Ｃ】
0006928109.tif 000050
【図３３Ｄ】
0006928109.tif 000051
【図３３Ｅ】
0006928109.tif 000052
【図３４Ａ】
0006928109.tif 000053
【図３４Ｂ】
0006928109.tif 000054
【図３４Ｃ】
0006928109.tif 000055
【図３４Ｄ】
0006928109.tif 000056
【図３４Ｅ】
0006928109.tif 000057
【図３４Ｆ】
0006928109.tif 000058
【図３４Ｇ】
0006928109.tif 000059
【図３４Ｈ】
0006928109.tif 000060
【図３４Ｉ】
0006928109.tif 000061
【図３４Ｊ】
0006928109.tif 000062
【図３４Ｋ】
0006928109.tif 000063
【図３４Ｌ】
0006928109.tif 000064
【図３４Ｍ】
0006928109.tif 000065
【図３４Ｎ】
0006928109.tif 000066
【図３４Ｏ】
0006928109.tif 000067
【図３４Ｐ】
0006928109.tif 000068
【図３４Ｑ】
0006928109.tif 000069
【図３４Ｒ】
0006928109.tif 000070
【図３４Ｓ】
0006928109.tif 000071
【図３４Ｔ】
0006928109.tif 000072
【図３４Ｕ】
0006928109.tif 000073
【図３５Ａ】
0006928109.tif 000074
【図３５Ｂ】
0006928109.tif 000075
【図３５Ｃ】
0006928109.tif 000076
【図３５Ｄ】
0006928109.tif 000077
【図３５Ｅ】
0006928109.tif 000078
【図３５Ｆ】
0006928109.tif 000079
【図３５Ｇ】
0006928109.tif 000080
【図３６】
0006928109.tif 000081
【図３７】
0006928109.tif 000082
【図３８】
0006928109.tif 000083
【図３９】
0006928109.tif 000084
【図４０】
0006928109.tif 000085
【図４１】
0006928109.tif 000086
【図４２】
0006928109.tif 000087
【図４３】
0006928109.tif 000088